(57)【要約】      （修正有）【課題】正しい巡回業務を客観的に保証・証明する巡回業務支援システムを提供する。【解決手段】巡回員が持つ携帯装置２は位置情報取得手段７ａと歩数計数手段７ｂを有する。管理装置３は、各標識装置の既定位置情報及び基準歩数情報と、位置情報比較手段１８ａと、位置判定手段１９ａと、歩数情報比較手段１８ｂと、歩数判定手段１９ｂを有する。携帯装置が点検エリアの標識装置１を認識すると、有効な現在位置情報が得られた場合は、これと識別情報が管理装置に送られ、現在位置情報が既定位置情報と比較され、比較結果が所定範囲を超えると標識装置の位置異常と判定する。有効な現在位置情報が得られない場合、現在歩数情報が管理装置に送られて標識装置の位置異常が判定される。【選択図】図３
2015031975.tif 000002
【特許請求の範囲】
【請求項１】
巡回エリアに含まれる複数の点検エリアごとに設けられた標識装置と、巡回員に携帯されて前記標識装置を認識する携帯装置と、前記携帯装置と通信する管理装置を備えた巡回業務支援システムであって、
前記携帯装置は、
前記携帯装置の現在位置を示す現在位置情報を取得する位置情報取得手段と、
前記巡回員の現在歩数情報を取得するために歩数を計数する歩数計数手段と、
前記標識装置を認識すると、認識した前記標識装置の識別情報と、有効な前記現在位置情報及び前記現在歩数情報を対応付けて記憶する記憶手段と、
前記位置情報取得手段により有効な現在位置情報が取得されたと判定した場合には対応付けられた前記識別情報と有効な前記現在位置情報を前記管理装置に送信し、有効な現在位置情報が取得されなかったと判定した場合には対応付けられた前記識別情報と前記現在歩数情報を前記管理装置に送信する第１の制御手段と、
を備えており、
前記管理装置は、
前記各標識装置の位置を示す既定位置情報と基準歩数情報を記憶する記憶手段と、
対応付けられた前記識別情報と有効な前記現在位置情報を前記携帯装置から取得し、前記識別情報が示す前記標識装置に対応した前記既定位置情報と前記現在位置情報を比較する位置情報比較手段と、
前記位置情報比較手段による比較の結果が所定範囲を超えている場合に前記点検エリア内で前記標識装置が設けられた位置が異常であると判定する位置判定手段と、
対応付けられた前記識別情報と前記現在歩数情報を前記携帯装置から取得し、該現在歩数情報を前記基準歩数情報と比較する歩数情報比較手段と、
前記歩数情報比較手段による比較の結果が所定範囲を外れているか否かを判定する歩数判定手段と、
前記携帯装置の前記第１の制御手段が、有効な現在位置情報が取得されたと判定した場合には前記位置情報比較手段による比較と前記位置判定手段による判定を実行し、有効な現在位置情報が取得されなかったと判定した場合には前記歩数情報比較手段による比較と前記歩数判定手段による判定を実行する第２の制御手段と、
を備えていることを特徴とした巡回業務支援システム。
【請求項２】
巡回エリアに含まれる複数の点検エリアごとに設けられた標識装置と、巡回員に携帯されて前記標識装置を認識する携帯装置を備えた巡回業務支援システムであって、
前記携帯装置は、
前記携帯装置の現在位置を示す現在位置情報を取得する位置情報取得手段と、
前記巡回員の現在歩数情報を取得するために歩数を計数する歩数計数手段と、
前記各標識装置の位置を示す既定位置情報と基準歩数情報を記憶し、前記標識装置を認識すると、認識した前記標識装置の識別情報と有効な前記現在位置情報及び前記現在歩数情報を対応付けて記憶する記憶手段と、
記憶された前記識別情報が示す前記標識装置に対応した前記既定位置情報と有効な前記現在位置情報を比較する位置情報比較手段と、
前記位置情報比較手段による比較の結果が所定範囲を超えている場合に前記点検エリア内で前記標識装置が設けられた位置が異常であると判定する位置判定手段と、
前記基準歩数情報と前記現在歩数情報を比較する歩数情報比較手段と、
前記歩数情報比較手段による比較の結果が所定範囲を外れているか否かを判定する歩数判定手段と、
前記位置情報取得手段により有効な現在位置情報が取得されたと判定した場合には前記位置情報比較手段による比較と前記位置判定手段による判定を実行し、有効な現在位置情報が取得されなかったと判定した場合には前記歩数情報比較手段による比較と前記歩数判定手段による判定を実行する制御手段と、
を備えていることを特徴とした巡回業務支援システム。
【請求項３】
前記標識装置は、記憶された前記識別情報が近接的に読み取り可能とされた識別タグであり、
前記携帯装置は、前記識別タグの前記識別情報を近接的に読み取る読取手段を備えていることを特徴とする請求項１又は２に記載の巡回業務支援システム。
【請求項４】
前記携帯装置は、
前記標識装置を認識すると、対応する点検エリアの点検項目を表示する点検項目表示手段と、
前記点検項目表示手段に表示された前記点検項目について点検結果情報を設定する点検情報入力手段と、
前記点検結果情報に応じて前記点検エリアの点検終了を判定する点検判定手段と、
を備えており、
前記点検判定手段が点検終了と判定していれば、前記点検エリアの次の点検エリアに設けられた標識装置を前記携帯装置が認識したときに、前記携帯装置の前記記憶手段は、当該標識装置の識別情報と、有効な前記現在位置情報及び前記現在歩数情報を対応付けて記憶することを特徴とする請求項１乃至３のいずれか一つに記載の巡回業務支援システム。
【請求項５】
巡回エリアに含まれる複数の点検エリアごとに設けられた標識装置と、巡回員に携帯されて前記標識装置によって認識される携帯装置とを備えた巡回業務支援システムであって、
前記携帯装置は、
前記携帯装置の現在位置を示す現在位置情報を取得する位置情報取得手段と、
前記巡回員の現在歩数情報を取得するために歩数を計数する歩数計数手段と、
前記位置情報取得手段により有効な現在位置情報が取得されたと判定した場合には有効な前記現在位置情報を前記標識装置に送信し、有効な現在位置情報が取得されなかったと判定した場合には前記現在歩数情報を前記標識装置に送信する第１の制御手段と、
を備えており、
前記標識装置は、
前記標識装置の識別情報と前記標識装置の位置を示す既定位置情報と基準歩数情報を記憶する記憶手段と、
前記携帯装置を認識すると、前記記憶手段の前記既定位置情報と前記携帯装置から取得した有効な前記現在位置情報を比較する位置情報比較手段と、
前記位置情報比較手段による比較の結果が所定範囲を超えている場合に前記点検エリア内で前記標識装置が設けられた位置が異常であると判定する位置判定手段と、
前記携帯装置を認識すると、前記記憶手段の前記基準歩数情報と前記携帯装置から取得した前記現在歩数情報を比較する歩数情報比較手段と、
前記歩数情報比較手段による比較の結果が所定範囲を外れているか否かを判定する歩数判定手段と、
前記携帯装置の前記第１の制御手段が、有効な現在位置情報が取得されたと判定した場合には前記位置情報比較手段による比較と前記位置判定手段による判定を実行し、有効な現在位置情報が取得されなかったと判定した場合には前記歩数情報比較手段による比較と前記歩数判定手段による判定を実行する第２の制御手段と、
を備えていることを特徴とした巡回業務支援システム。
【請求項６】
前記携帯装置は、前記標識装置によって読み取り可能な識別タグを備えており、
前記標識装置は、前記携帯装置の前記識別タグを近接的に読み取り可能な読取手段を備えていることを特徴とする請求項５に記載の巡回業務支援システム。
【請求項７】
前記携帯装置は、
前記標識装置によって認識されると、点検を行なおうとする点検エリアの点検項目を表示する点検項目表示手段と、
前記点検項目表示手段に表示された前記点検項目について点検結果情報を設定する点検情報入力手段と、
を備えており、
前記標識装置は、
前記携帯装置における前記点検結果情報に応じて前記点検エリアの点検終了を判定する点検判定手段を備えており、
前記位置情報比較手段は、前記点検判定手段が点検終了と判定していれば、前記既定位置情報と前記携帯装置の現在位置情報を比較し、
前記歩数情報比較手段は、前記点検判定手段が点検終了と判定していれば、前記基準歩数情報と前記現在歩数情報を比較することを特徴とする請求項５又は６に記載の巡回業務支援システム。
【請求項８】
前記標識装置は、前記標識装置と通信する管理装置を備えており、前記位置情報比較手段と前記位置判定手段と前記歩数情報比較手段と前記歩数判定手段と前記点検判定手段の少なくとも一部は、前記管理装置に設けられていることを特徴とする請求項７に記載の巡回業務支援システム。
【請求項９】
巡回エリアに含まれる複数の点検エリアごとに標識装置を設け、携帯装置を携帯した巡回員に前記各点検エリアを巡回させ、前記携帯装置と通信可能な管理装置で巡回員の巡回業務を支援する巡回業務の支援方法であって、
前記携帯装置においては、
前記標識装置を認識して前記標識装置から識別情報を取得するとともに、前記標識装置を認識したときの位置を示す現在位置情報と前記巡回員の現在歩数情報を取得し、有効な前記現在位置情報が取得された場合には少なくとも前記識別情報と前記現在位置情報を前記管理装置に送信し、有効な前記現在位置情報が取得されなかった場合には前記識別情報と前記現在歩数情報を前記管理装置に送信し、
前記管理装置においては、
有効な前記現在位置情報が送信された場合には、前記各標識装置の位置を示す既定位置情報が記憶された記憶手段から、前記識別情報が示す前記標識装置に対応した前記既定位置情報を読み出し、これと有効な前記現在位置情報を比較し、比較の結果が所定範囲を超えていれば、前記点検エリア内で前記標識装置が設けられた位置が異常であると判定し、
有効な前記現在位置情報が取得されず前記現在歩数情報が送信された場合には、前記各標識装置に対応する基準歩数情報が記憶された記憶手段から、前記識別情報が示す前記標識装置に対応した前記基準歩数情報を読み出し、これと前記現在歩数情報を比較し、比較の結果が所定範囲を超えていれば、前記点検エリア内で前記標識装置が設けられた位置が異常であると判定する
ことを特徴とした巡回業務支援方法。
【請求項１０】
巡回エリアに含まれる複数の点検エリアごとに標識装置を設け、携帯装置を携帯した巡回員に前記各点検エリアを巡回させ、前記携帯装置で巡回員の巡回業務を支援する巡回業務の支援方法であって、
前記携帯装置で前記標識装置を認識して前記標識装置から識別情報を取得したときに、前記携帯装置の位置を示す現在位置情報と前記巡回員の現在歩数情報を取得し、有効な前記現在位置情報が取得された場合には、前記各標識装置の位置を示す既定位置情報が記憶された記憶手段から、前記識別情報が示す前記標識装置に対応した前記既定位置情報を読み出し、これと前記現在位置情報を比較し、比較の結果が所定範囲を超えていれば、前記点検エリア内で前記標識装置が設けられた位置が異常であると判定し、
有効な前記現在位置情報が取得されなかった場合には、前記各標識装置に対応する基準歩数情報が記憶された記憶手段から、前記識別情報が示す前記標識装置に対応した前記基準歩数情報を読み出し、これと前記現在歩数情報を比較し、比較の結果が所定範囲を超えていれば、前記点検エリア内で前記標識装置が設けられた位置が異常であると判定することを特徴とした巡回業務支援方法。
【請求項１１】
巡回エリアに含まれる複数の点検エリアごとに標識装置を設け、携帯装置を携帯した巡回員に前記各点検エリアを巡回させ、前記携帯装置で巡回員の巡回業務を支援する巡回業務の支援方法であって、
前記携帯装置においては、
前記携帯装置の現在位置を示す現在位置情報と前記巡回員の現在歩数情報を取得し、有効な現在位置情報が取得された場合には有効な前記現在位置情報を前記標識装置に送信し、有効な現在位置情報が取得されない場合には前記現在歩数情報を前記標識装置に送信し、
前記標識装置においては、
前記標識装置が前記携帯装置を認識したときに、前記携帯装置において有効な前記現在位置情報が取得されている場合には前記標識装置の位置を示す既定位置情報と前記現在位置情報を比較し、比較の結果が所定範囲を超えていれば、前記点検エリア内で前記標識装置が設けられた位置が異常であると判定し、前記携帯装置において有効な前記現在位置情報が取得されていない場合には前記各標識装置に対応する基準歩数情報と前記現在歩数情報を比較し、比較の結果が所定範囲を超えていれば、前記点検エリア内で前記標識装置が設けられた位置が異常であると判定することを特徴とした巡回業務支援方法。
【請求項１２】
巡回エリアに含まれる複数の点検エリアごとに設けられた標識装置と、巡回員に携帯されて前記標識装置を認識する携帯装置と、前記携帯装置と通信する管理装置を備えた巡回業務支援システムを作動させる巡回業務支援システム用プログラムであって、
前記携帯装置の一部を構成するコンピュータに、
前記標識装置を認識した場合に、前記携帯装置の現在位置を示す現在位置情報と、前記巡回員の歩数を示す現在歩数情報を取得する手順と、
有効な前記現在位置情報が取得されたか否かを判定する手順と、
認識した前記標識装置の識別情報と、有効な前記現在位置情報と、前記現在歩数情報を対応付けて記憶する手順と、
有効な前記現在位置情報が取得された場合には少なくとも前記識別情報と前記現在位置情報を前記管理装置に送信し、有効な前記現在位置情報が取得されなかった場合には前記識別情報と前記現在歩数情報を前記管理装置に送信する手順と、
を実行させる携帯装置用プログラムと、
前記管理装置の一部を構成するコンピュータに、
前記携帯装置との通信を行う手順と、
前記各標識装置の位置を示す既定位置情報と基準歩数情報を記憶手段に記憶して保持する手順と、
前記携帯装置から有効な前記現在位置情報が送信された場合には、前記記憶手段から、前記識別情報が示す前記標識装置に対応した前記既定位置情報を読み出し、これと有効な前記現在位置情報を比較し、比較の結果が所定範囲を超えていれば、前記点検エリア内で前記標識装置が設けられた位置が異常であると判定し、
前記携帯装置から有効な前記現在位置情報が送信されず前記現在歩数情報が送信された場合には、前記記憶手段から、前記識別情報が示す前記標識装置に対応した前記基準歩数情報を読み出し、これと前記現在歩数情報を比較し、比較の結果が所定範囲を超えていれば、前記点検エリア内で前記標識装置が設けられた位置が異常であると判定する手順と、
を実行させる管理装置用プログラムと、
を備えていることを特徴とした巡回業務支援システム用プログラム。
【請求項１３】
巡回エリアに含まれる複数の点検エリアごとに設けられた標識装置と、巡回員に携帯されて前記標識装置を認識する携帯装置を備えた巡回業務支援システムを作動させる巡回業務支援システム用プログラムであって、
前記携帯装置の一部を構成するコンピュータに、
前記標識装置を認識して前記標識装置から識別情報を取得したときに前記携帯装置の現在位置を示す現在位置情報と前記巡回員の歩数を示す現在歩数情報を取得する手順と、
前記各標識装置の位置を示す既定位置情報と基準歩数情報を記憶手段に記憶して保持する手順と、
有効な前記現在位置情報が取得された場合には、前記記憶手段から、前記識別情報が示す前記標識装置に対応した前記既定位置情報を読み出し、これと前記現在位置情報を比較し、比較の結果が所定範囲を超えていれば、前記点検エリア内で前記標識装置が設けられた位置が異常であると判定し、
有効な前記現在位置情報が取得されない場合には、前記記憶手段から、前記識別情報が示す前記標識装置に対応した前記基準歩数情報を読み出し、これと前記現在歩数情報を比較し、比較の結果が所定範囲を超えていれば、前記点検エリア内で前記標識装置が設けられた位置が異常であると判定する手順と、
を実行させることを特徴とした管理装置用プログラム。
【請求項１４】
巡回エリアに含まれる複数の点検エリアごとに設けられた標識装置と、巡回員に携帯されて前記標識装置によって認識される携帯装置とを備えた巡回業務支援システムを作動させる巡回業務支援システム用プログラムであって、
前記携帯装置の一部を構成するコンピュータに、
前記標識装置によって認識されたときに前記携帯装置の現在位置を示す現在位置情報と前記巡回員の現在歩数情報を取得する手順と、
有効な現在位置情報が取得された場合には有効な前記現在位置情報を前記標識装置に送信し、有効な現在位置情報が取得されない場合には前記現在歩数情報を前記標識装置に送信手順と、
を実行させる携帯装置用プログラムと、
前記標識装置の一部を構成するコンピュータに、
前記標識装置の識別情報と前記標識装置の位置を示す既定位置情報と基準歩数情報を記憶して保持する手順と、
前記携帯装置を認識すると、
前記携帯装置において有効な前記現在位置情報が取得されている場合には、前記既定位置情報と前記携帯装置から取得した前記現在位置情報を比較し、比較の結果が所定範囲を超えていれば、前記点検エリア内で前記標識装置が設けられた位置が異常であると判定する手順と、
前記携帯装置において有効な前記現在位置情報が取得されていない場合には、前記基準歩数情報と前記現在歩数情報を比較し、比較の結果が所定範囲を超えていれば、前記点検エリア内で前記標識装置が設けられた位置が異常であると判定する手順と、
を実行させる標識装置用プログラムと、
を備えていることを特徴とした巡回業務支援システム用プログラム。
【発明の詳細な説明】
【技術分野】
【０００１】
本発明は、所定の巡回エリアを警備員が巡回しながら所定の点検箇所について点検を行う巡回業務において、警備員の点検作業の負担を軽減しつつ、さらに巡回エリア内の要所に設けた標識装置を警備員の携帯装置で電子的に認識すること等により、警備員が所定の点検箇所を所定の順序で巡回したことを客観的に保証し、以て巡回業務の品質を客観的に証明することができる巡回業務支援システム、巡回業務支援方法及び巡回業務支援システム用プログラムに関するものである。
【背景技術】
【０００２】
警備会社等では、顧客から、顧客会社の敷地内やビル内部等を対象物件として巡回による警備の委託を受けることがある。このような巡回による警備業務（以下、巡回業務と称する）では、巡回する警備員（以下、巡回員と称する）が対象物件の巡回エリア内の複数の点検エリアを所定の順序で定期的あるいは不定期に巡回し、各点検エリア内での異常の有無を点検する。係る巡回業務においては、巡回員は予め顧客との契約で定められた巡回マニュアルを読み、巡回エリアにおける各点検エリアの巡回順序、巡回時の点検ポイントの位置、点検ポイントに対応付けられている点検項目（点検ポイントに対する対応の内容）を覚える必要があり、その記憶に従って巡回業務を遂行することになっている。
【０００３】
また、巡回員は、巡回エリア内の点検ポイントにおける点検状況を記録するために、パトロールレコーダと呼ばれる携帯機を携行している。一方、各点検エリアには、各点検エリアに固有の識別情報を持つ刻時キーと呼ばれるキーがそれぞれ配置されている。巡回員は、１つの点検エリア内の各点検ポイントについて、それぞれ定められた点検項目の点検を終了した場合には、刻時キーをパトロールレコーダに挿入して回す操作を行なう。これによって、パトロールレコーダには、その時の点検エリアを示す識別情報と、その時刻が記録（打刻）される。このようにして、巡回員は各点検エリアにおいてパトロールレコーダに刻時キーを挿入し、業務終了時にパトロールレコーダに記録された巡回の内容を紙やパソコンに出力することで、各点検エリアについての点検作業が規定通り正常に行われ、敷地内、ビル内などの対象物件の巡回エリアの各点検エリアで規定の点検が終了し、正常に巡回業務が終了したことが確認される。
【０００４】
上述したパトロールレコーダと刻時キーを用いた巡回業務では、巡回員が巡回順序や点検ポイントの位置を熟知している必要があり、巡回員の負担が少なくない。保守点検の分野では、こうした課題について以下に示すように作業員の負担を軽減するための発明も提案されている。
【０００５】
特許文献１には、設備の点検保守を行なう作業員が所持し、その作業を支援することにより設備の点検保守を確実に行うことができる携帯端末装置の発明が開示されている。この携帯端末装置は、各設備に対して与えられた設備ＩＤの各々と、設備の点検順序を示す点検順序情報が登録された点検スケジュール管理用の制御装置と、各種情報を表示するディスプレイと、設備に貼付された無線タグから出た設備ＩＤを受信するインタフェース装置とを備えている。そして、制御装置は、インタフェース装置が設備ＩＤを受け付けた際に、前述の点検順序情報をもとに、現時点で入力されるべき設備ＩＤを点検スケジュールから抽出し、抽出した設備ＩＤと、インタフェース装置が受け付けた設備ＩＤとを比較して、その結果をディスプレイに表示する。この装置によれば、点検スケジュール上の設備の識別情報と、現場で取得する設備の識別情報との一致、不一致が表示手段に表示されるため、これから点検をはじめようとする設備が目的とする設備なのか否かがはっきりし、作業員に無用な心配を抱かせるようなことがないとされている。
【０００６】
特許文献２には、携帯入出力装置を用いることにより、作業員の熟練度に依存することなく、効率よくかつ確実に設備の点検を行える設備管理支援システムの発明が開示されている。このシステムのデータ管理装置の記憶手段には、巡回順序を含む設備点検情報を記憶させる。このデータ管理装置から通信インターフェイス装置を介して携帯入出力装置へ設備点検情報を転送すると、携帯入出力装置の画面上では「次ポイント」がタッチされる毎に、設備点検情報に含まれている巡回順序に基づいて、巡回対象が順次表示されて行く。点検が終了する毎にこの操作を行うことにより、次の巡回先が画面上で指し示され、データ管理装置で決められた巡回順序通りに設備の点検を進めて行くことが可能となる。この携帯入出力装置を用いれば、作業員の熟練度に依存することなく、効率よくかつ確実に設備の点検を行うことができるようになるものとされている。
【先行技術文献】
【特許文献】
【０００７】
【特許文献１】特開平１０−２２２５４３号公報
【特許文献２】特開２００１−１５９９１６号公報
【発明の概要】
【発明が解決しようとする課題】
【０００８】
パトロールレコーダと刻時キーを用いた従来の巡回業務では、先に述べたように、対象物件の巡回順序、巡回時の点検箇所の位置、点検項目などについて巡回員が事前に熟知しておく必要があり、巡回員に対する個人的な負担が重く、特に新人の巡回員にとっては初期の巡回業務は不安を感じながらの実施とならざるを得ないのが通常である。また、パトロールレコーダのような複雑な機構の装置を使用し、点検エリアごとに刻時キーを備えつけておくというシステムは、設備コストや管理の側面からは煩雑であるため好ましくないとの考え方もあり、なるべく簡単な構成で同等以上の効果を得ることが望まれていた。
【０００９】
特許文献１、２に示したような装置は、構成の簡素な電子的なデバイスにより、このような巡回員に対する個人的な負担を軽減するものであり、これによって点検案内がわかりやすくなり、新人の巡回員であっても漏れなく点検できるようなアシストが可能となる可能性はある。しかし、特許文献１、２に記載の装置を警備目的の巡回業務に用いようとしても、巡回員の作業のアシスト以外の点においては、必ずしも満足な結果を得ることが難しいという問題がある。なぜなら、巡回業務においては、巡回の順序や各所で点検する項目などについては何らかの手段で巡回員をアシストすることが望まれる一方で、セキュリティ性の高い警備点検が正しく行われたことを客観的に証明することが必要だからである。
【００１０】
たとえば、パトロールレコーダと刻時キーを用いた従来の巡回業務において、巡回時に刻時キーで打刻を行うのは、少なくとも、（１）巡回エリアを漏れなく点検し安全確認を行なったことを証明するため、（２）巡回マニュアルに既定された巡回を既定どおり行ったことを証明するため、（３）巡回員が「いつ」「どこ」に居たかを証明するため、といった巡回業務の品質を客観的に証明するという、巡回員の作業アシスト以外の目的からであると言える。
【００１１】
しかしながら、特許文献１の発明のように、設備に貼り付けて使用する無線タグを用いる場合、仮に悪戯や不正行為によってタグが剥がされ、正規の位置から他の位置に移動されてしまうと、正しく点検が行われたか否かは、少なくとも巡回員を管理する側からは判別できないといった事態が生じ得る。巡回員の点検が正しく行われたという点検品質を客観的に証明するためには、顧客との間で予め定められた巡回マニュアルどおりの位置にタグが存在することを客観的な手法で担保しなければならない。このような背景の下、巡回業務に利用可能なさらに改良されたシステムが望まれていた。
【００１２】
本発明は、以上説明した従来の巡回業務における課題を解決するためになされたものであり、従来のパトロールレコーダ及び刻時キーのような複雑な機構を用いることなく、巡回員の点検作業をアシストしつつ、さらに巡回員による巡回業務が正しく行なわれたことを客観的に保証し、以て巡回業務の品質を客観的に証明することができる巡回業務支援システム、巡回業務支援方法及び巡回業務支援システム用プログラムを提供することを目的としている。
【課題を解決するための手段】
【００１３】
請求項１に記載された巡回業務支援システムは、
巡回エリアに含まれる複数の点検エリアごとに設けられた標識装置と、巡回員に携帯されて前記標識装置を認識する携帯装置と、前記携帯装置と通信する管理装置を備えた巡回業務支援システムであって、
前記携帯装置が、
前記携帯装置の現在位置を示す現在位置情報を取得する位置情報取得手段と、
前記巡回員の現在歩数情報を取得するために歩数を計数する歩数計数手段と、
前記標識装置を認識すると、認識した前記標識装置の識別情報と、有効な前記現在位置情報及び前記現在歩数情報を対応付けて記憶する記憶手段と、
前記位置情報取得手段により有効な現在位置情報が取得されたと判定した場合には対応付けられた前記識別情報と有効な前記現在位置情報を前記管理装置に送信し、有効な現在位置情報が取得されなかったと判定した場合には対応付けられた前記識別情報と前記現在歩数情報を前記管理装置に送信する第１の制御手段と、
を備えており、
前記管理装置が、
前記各標識装置の位置を示す既定位置情報と基準歩数情報を記憶する記憶手段と、
対応付けられた前記識別情報と有効な前記現在位置情報を前記携帯装置から取得し、前記識別情報が示す前記標識装置に対応した前記既定位置情報と前記現在位置情報を比較する位置情報比較手段と、
前記位置情報比較手段による比較の結果が所定範囲を超えている場合に前記点検エリア内で前記標識装置が設けられた位置が異常であると判定する位置判定手段と、
対応付けられた前記識別情報と前記現在歩数情報を前記携帯装置から取得し、該現在歩数情報を前記基準歩数情報と比較する歩数情報比較手段と、
前記歩数情報比較手段による比較の結果が所定範囲を外れているか否かを判定する歩数判定手段と、
前記携帯装置の前記第１の制御手段が、有効な現在位置情報が取得されたと判定した場合には前記位置情報比較手段による比較と前記位置判定手段による判定を実行し、有効な現在位置情報が取得されなかったと判定した場合には前記歩数情報比較手段による比較と前記歩数判定手段による判定を実行する第２の制御手段と、
を備えていることを特徴としている。
【００１４】
請求項２に記載された巡回業務支援システムは、
巡回エリアに含まれる複数の点検エリアごとに設けられた標識装置と、巡回員に携帯されて前記標識装置を認識する携帯装置を備えた巡回業務支援システムであって、
前記携帯装置が、
前記携帯装置の現在位置を示す現在位置情報を取得する位置情報取得手段と、
前記巡回員の現在歩数情報を取得するために歩数を計数する歩数計数手段と、
前記各標識装置の位置を示す既定位置情報と基準歩数情報を記憶し、前記標識装置を認識すると、認識した前記標識装置の識別情報と有効な前記現在位置情報及び前記現在歩数情報を対応付けて記憶する記憶手段と、
記憶された前記識別情報が示す前記標識装置に対応した前記既定位置情報と有効な前記現在位置情報を比較する位置情報比較手段と、
前記位置情報比較手段による比較の結果が所定範囲を超えている場合に前記点検エリア内で前記標識装置が設けられた位置が異常であると判定する位置判定手段と、
前記基準歩数情報と前記現在歩数情報を比較する歩数情報比較手段と、
前記歩数情報比較手段による比較の結果が所定範囲を外れているか否かを判定する歩数判定手段と、
前記位置情報取得手段により有効な現在位置情報が取得されたと判定した場合には前記位置情報比較手段による比較と前記位置判定手段による判定を実行し、有効な現在位置情報が取得されなかったと判定した場合には前記歩数情報比較手段による比較と前記歩数判定手段による判定を実行する制御手段と、
を備えていることを特徴としている。
【００１５】
請求項３に記載された巡回業務支援システムは、請求項１又は２に記載の巡回業務支援システムにおいて、
前記標識装置は、記憶された前記識別情報が近接的に読み取り可能とされた識別タグであり、
前記携帯装置は、前記識別タグの前記識別情報を近接的に読み取る読取手段を備えていることを特徴としている。
【００１６】
請求項４に記載された巡回業務支援システムは、請求項１乃至３のいずれか一つに記載の巡回業務支援システムにおいて、
前記携帯装置が、
前記標識装置を認識すると、対応する点検エリアの点検項目を表示する点検項目表示手段と、
前記点検項目表示手段に表示された前記点検項目について点検結果情報を設定する点検情報入力手段と、
前記点検結果情報に応じて前記点検エリアの点検終了を判定する点検判定手段と、
を備えており、
前記点検判定手段が点検終了と判定していれば、前記点検エリアの次の点検エリアに設けられた標識装置を前記携帯装置が認識したときに、前記携帯装置の前記記憶手段は、当該標識装置の識別情報と、有効な前記現在位置情報及び前記現在歩数情報を対応付けて記憶することを特徴としている。
【００１７】
請求項５に記載された巡回業務支援システムは、
巡回エリアに含まれる複数の点検エリアごとに設けられた標識装置と、巡回員に携帯されて前記標識装置によって認識される携帯装置とを備えた巡回業務支援システムであって、
前記携帯装置が、
前記携帯装置の現在位置を示す現在位置情報を取得する位置情報取得手段と、
前記巡回員の現在歩数情報を取得するために歩数を計数する歩数計数手段と、
前記位置情報取得手段により有効な現在位置情報が取得されたと判定した場合には有効な前記現在位置情報を前記標識装置に送信し、有効な現在位置情報が取得されなかったと判定した場合には前記現在歩数情報を前記標識装置に送信する第１の制御手段と、
を備えており、
前記標識装置が、
前記標識装置の識別情報と前記標識装置の位置を示す既定位置情報と基準歩数情報を記憶する記憶手段と、
前記携帯装置を認識すると、前記記憶手段の前記既定位置情報と前記携帯装置から取得した有効な前記現在位置情報を比較する位置情報比較手段と、
前記位置情報比較手段による比較の結果が所定範囲を超えている場合に前記点検エリア内で前記標識装置が設けられた位置が異常であると判定する位置判定手段と、
前記携帯装置を認識すると、前記記憶手段の前記基準歩数情報と前記携帯装置から取得した前記現在歩数情報を比較する歩数情報比較手段と、
前記歩数情報比較手段による比較の結果が所定範囲を外れているか否かを判定する歩数判定手段と、
前記携帯装置の前記第１の制御手段が、有効な現在位置情報が取得されたと判定した場合には前記位置情報比較手段による比較と前記位置判定手段による判定を実行し、有効な現在位置情報が取得されなかったと判定した場合には前記歩数情報比較手段による比較と前記歩数判定手段による判定を実行する第２の制御手段と、
を備えていることを特徴としている。
【００１８】
請求項６に記載された巡回業務支援システムは、請求項５に記載の巡回業務支援システムにおいて、
前記携帯装置は、前記標識装置によって読み取り可能な識別タグを備えており、
前記標識装置は、前記携帯装置の前記識別タグを近接的に読み取り可能な読取手段を備えていることを特徴としている。
【００１９】
請求項７に記載された巡回業務支援システムは、請求項５又は６に記載の巡回業務支援システムにおいて、
前記携帯装置が、
前記標識装置によって認識されると、点検を行なおうとする点検エリアの点検項目を表示する点検項目表示手段と、
前記点検項目表示手段に表示された前記点検項目について点検結果情報を設定する点検情報入力手段と、
を備えており、
前記標識装置が、
前記携帯装置における前記点検結果情報に応じて前記点検エリアの点検終了を判定する点検判定手段を備えており、
前記位置情報比較手段は、前記点検判定手段が点検終了と判定していれば、前記既定位置情報と前記携帯装置の現在位置情報を比較し、
前記歩数情報比較手段は、前記点検判定手段が点検終了と判定していれば、前記基準歩数情報と前記現在歩数情報を比較することを特徴としている。
【００２０】
請求項８に記載された巡回業務支援システムは、請求項７に記載の巡回業務支援システムにおいて、
前記標識装置が前記標識装置と通信する管理装置を備えており、前記位置情報比較手段と前記位置判定手段と前記歩数情報比較手段と前記歩数判定手段と前記点検判定手段の少なくとも一部が、前記管理装置に設けられていることを特徴としている。
【００２１】
請求項９に記載された巡回業務支援方法は、
巡回エリアに含まれる複数の点検エリアごとに標識装置を設け、携帯装置を携帯した巡回員に前記各点検エリアを巡回させ、前記携帯装置と通信可能な管理装置で巡回員の巡回業務を支援する巡回業務の支援方法であって、
前記携帯装置においては、
前記標識装置を認識して前記標識装置から識別情報を取得するとともに、前記標識装置を認識したときの位置を示す現在位置情報と前記巡回員の現在歩数情報を取得し、有効な前記現在位置情報が取得された場合には少なくとも前記識別情報と前記現在位置情報を前記管理装置に送信し、有効な前記現在位置情報が取得されなかった場合には前記識別情報と前記現在歩数情報を前記管理装置に送信し、
前記管理装置においては、
有効な前記現在位置情報が送信された場合には、前記各標識装置の位置を示す既定位置情報が記憶された記憶手段から、前記識別情報が示す前記標識装置に対応した前記既定位置情報を読み出し、これと有効な前記現在位置情報を比較し、比較の結果が所定範囲を超えていれば、前記点検エリア内で前記標識装置が設けられた位置が異常であると判定し、
有効な前記現在位置情報が取得されず前記現在歩数情報が送信された場合には、前記各標識装置に対応する基準歩数情報が記憶された記憶手段から、前記識別情報が示す前記標識装置に対応した前記基準歩数情報を読み出し、これと前記現在歩数情報を比較し、比較の結果が所定範囲を超えていれば、前記点検エリア内で前記標識装置が設けられた位置が異常であると判定することを特徴としている。
【００２２】
請求項１０に記載された巡回業務支援方法は、
巡回エリアに含まれる複数の点検エリアごとに標識装置を設け、携帯装置を携帯した巡回員に前記各点検エリアを巡回させ、前記携帯装置で巡回員の巡回業務を支援する巡回業務の支援方法であって、
前記携帯装置で前記標識装置を認識して前記標識装置から識別情報を取得したときに、前記携帯装置の位置を示す現在位置情報と前記巡回員の現在歩数情報を取得し、有効な前記現在位置情報が取得された場合には、前記各標識装置の位置を示す既定位置情報が記憶された記憶手段から、前記識別情報が示す前記標識装置に対応した前記既定位置情報を読み出し、これと前記現在位置情報を比較し、比較の結果が所定範囲を超えていれば、前記点検エリア内で前記標識装置が設けられた位置が異常であると判定し、
有効な前記現在位置情報が取得されなかった場合には、前記各標識装置に対応する基準歩数情報が記憶された記憶手段から、前記識別情報が示す前記標識装置に対応した前記基準歩数情報を読み出し、これと前記現在歩数情報を比較し、比較の結果が所定範囲を超えていれば、前記点検エリア内で前記標識装置が設けられた位置が異常であると判定することを特徴としている。
【００２３】
請求項１１に記載された巡回業務支援方法は、
巡回エリアに含まれる複数の点検エリアごとに標識装置を設け、携帯装置を携帯した巡回員に前記各点検エリアを巡回させ、前記携帯装置で巡回員の巡回業務を支援する巡回業務の支援方法であって、
前記携帯装置においては、
前記携帯装置の現在位置を示す現在位置情報と前記巡回員の現在歩数情報を取得し、有効な現在位置情報が取得された場合には有効な前記現在位置情報を前記標識装置に送信し、有効な現在位置情報が取得されない場合には前記現在歩数情報を前記標識装置に送信し、
前記標識装置においては、
前記標識装置が前記携帯装置を認識したときに、前記携帯装置において有効な前記現在位置情報が取得されている場合には前記標識装置の位置を示す既定位置情報と前記現在位置情報を比較し、比較の結果が所定範囲を超えていれば、前記点検エリア内で前記標識装置が設けられた位置が異常であると判定し、前記携帯装置において有効な前記現在位置情報が取得されていない場合には前記各標識装置に対応する基準歩数情報と前記現在歩数情報を比較し、比較の結果が所定範囲を超えていれば、前記点検エリア内で前記標識装置が設けられた位置が異常であると判定することを特徴としている。
【００２４】
請求項１２に記載された巡回業務支援システム用プログラムは、
巡回エリアに含まれる複数の点検エリアごとに設けられた標識装置と、巡回員に携帯されて前記標識装置を認識する携帯装置と、前記携帯装置と通信する管理装置を備えた巡回業務支援システムを作動させる巡回業務支援システム用プログラムであって、
前記携帯装置の一部を構成するコンピュータに、
前記標識装置を認識した場合に、前記携帯装置の現在位置を示す現在位置情報と、前記巡回員の歩数を示す現在歩数情報を取得する手順と、
有効な前記現在位置情報が取得されたか否かを判定する手順と、
認識した前記標識装置の識別情報と、有効な前記現在位置情報と、前記現在歩数情報を対応付けて記憶する手順と、
有効な前記現在位置情報が取得された場合には少なくとも前記識別情報と前記現在位置情報を前記管理装置に送信し、有効な前記現在位置情報が取得されなかった場合には前記識別情報と前記現在歩数情報を前記管理装置に送信する手順と、
を実行させる携帯装置用プログラムと、
前記管理装置の一部を構成するコンピュータに、
前記携帯装置との通信を行う手順と、
前記各標識装置の位置を示す既定位置情報と基準歩数情報を記憶手段に記憶して保持する手順と、
前記携帯装置から有効な前記現在位置情報が送信された場合には、前記記憶手段から、前記識別情報が示す前記標識装置に対応した前記既定位置情報を読み出し、これと有効な前記現在位置情報を比較し、比較の結果が所定範囲を超えていれば、前記点検エリア内で前記標識装置が設けられた位置が異常であると判定し、
前記携帯装置から有効な前記現在位置情報が送信されず前記現在歩数情報が送信された場合には、前記記憶手段から、前記識別情報が示す前記標識装置に対応した前記基準歩数情報を読み出し、これと前記現在歩数情報を比較し、比較の結果が所定範囲を超えていれば、前記点検エリア内で前記標識装置が設けられた位置が異常であると判定する手順と、
を実行させる管理装置用プログラムと、
を備えていることを特徴としている。
【００２５】
請求項１３に記載された管理装置用プログラムは、
巡回エリアに含まれる複数の点検エリアごとに設けられた標識装置と、巡回員に携帯されて前記標識装置を認識する携帯装置を備えた巡回業務支援システムを作動させる巡回業務支援システム用プログラムであって、
前記携帯装置の一部を構成するコンピュータに、
前記標識装置を認識して前記標識装置から識別情報を取得したときに前記携帯装置の現在位置を示す現在位置情報と前記巡回員の歩数を示す現在歩数情報を取得する手順と、
前記各標識装置の位置を示す既定位置情報と基準歩数情報を記憶手段に記憶して保持する手順と、
有効な前記現在位置情報が取得された場合には、前記記憶手段から、前記識別情報が示す前記標識装置に対応した前記既定位置情報を読み出し、これと前記現在位置情報を比較し、比較の結果が所定範囲を超えていれば、前記点検エリア内で前記標識装置が設けられた位置が異常であると判定し、
有効な前記現在位置情報が取得されない場合には、前記記憶手段から、前記識別情報が示す前記標識装置に対応した前記基準歩数情報を読み出し、これと前記現在歩数情報を比較し、比較の結果が所定範囲を超えていれば、前記点検エリア内で前記標識装置が設けられた位置が異常であると判定する手順と、
を実行させることを特徴としている。
【００２６】
請求項１４に記載された巡回業務支援システム用プログラムは、
巡回エリアに含まれる複数の点検エリアごとに設けられた標識装置と、巡回員に携帯されて前記標識装置によって認識される携帯装置とを備えた巡回業務支援システムを作動させる巡回業務支援システム用プログラムであって、
前記携帯装置の一部を構成するコンピュータに、
前記標識装置によって認識されたときに前記携帯装置の現在位置を示す現在位置情報と前記巡回員の現在歩数情報を取得する手順と、
有効な現在位置情報が取得された場合には有効な前記現在位置情報を前記標識装置に送信し、有効な現在位置情報が取得されない場合には前記現在歩数情報を前記標識装置に送信手順と、
を実行させる携帯装置用プログラムと、
前記標識装置の一部を構成するコンピュータに、
前記標識装置の識別情報と前記標識装置の位置を示す既定位置情報と基準歩数情報を記憶して保持する手順と、
前記携帯装置を認識すると、
前記携帯装置において有効な前記現在位置情報が取得されている場合には、前記既定位置情報と前記携帯装置から取得した前記現在位置情報を比較し、比較の結果が所定範囲を超えていれば、前記点検エリア内で前記標識装置が設けられた位置が異常であると判定する手順と、
前記携帯装置において有効な前記現在位置情報が取得されていない場合には、前記基準歩数情報と前記現在歩数情報を比較し、比較の結果が所定範囲を超えていれば、前記点検エリア内で前記標識装置が設けられた位置が異常であると判定する手順と、
を実行させる標識装置用プログラムと、
を備えていることを特徴としている。
【発明の効果】
【００２７】
請求項１に記載された巡回業務支援システム、請求項９に記載された巡回業務支援方法、そして請求項１２に記載された巡回業務支援システム用プログラムによれば、巡回エリアに含まれる複数の点検エリアごとに設けられた標識装置と、巡回員に携帯されて前記標識装置を認識する携帯装置と、前記携帯装置と通信する管理装置を備えた巡回業務支援システムにおいて、次のような効果が得られる。すなわち、巡回員は、携帯装置を持って巡回エリアに入り、各点検エリアを所定の順序で巡回して行く。ある点検エリアにおいて、当該点検エリアの標識装置に巡回員が携帯装置を近接させると、携帯装置は標識装置から識別情報を読み取り、この識別情報と、位置情報取得手段で取得した携帯装置の現在位置情報と、歩数計数手段の計数により取得した現在歩数情報とを対応付けて記憶手段に記憶する。そして、携帯装置の第１の制御手段は、有効な現在位置情報が取得されたか否かを判断し、有効な現在位置情報が取得されたと判断した場合には識別情報と現在位置情報を管理装置に送信し、有効な現在位置情報が取得されなかった場合には識別情報と現在歩数情報を管理装置に送信する。一方、管理装置は、携帯装置からの送信を受け、有効な現在位置情報が送信された場合には、取得した識別情報が示す標識装置に対応する既定位置情報と、取得した現在位置情報とを位置情報比較手段で比較し、比較の結果が所定範囲を超えている場合には、位置判定手段によって、点検エリア内で標識装置が設けられた位置が異常であると判定する。また、現在歩数情報が送信された場合には、取得した識別情報が示す標識装置に対応する基準歩数情報と、取得した現在歩数情報とを歩数情報比較手段で比較し、比較の結果が所定範囲を超えている場合には、歩数判定手段によって、点検エリア内で標識装置が設けられた位置が異常であると判定する。
【００２８】
請求項２に記載された巡回業務支援システム、請求項１０に記載された巡回業務支援方法、そして請求項１３に記載された巡回業務支援システム用プログラムによれば、巡回エリアに含まれる複数の点検エリアごとに設けられた標識装置と、巡回員に携帯されて前記標識装置を認識する携帯装置を備えた巡回業務支援システムにおいて、次のような効果が得られる。すなわち、巡回員は、携帯装置を持って巡回エリアに入り、各点検エリアを所定の順序で巡回して行く。ある点検エリアにおいて、当該点検エリアの標識装置に巡回員が携帯装置を近接させると、携帯装置は標識装置から識別情報を読み取ったときに、携帯装置の位置を示す現在位置情報と巡回員の現在歩数情報を取得し、これらの情報を識別情報に関連付けて記憶手段に記憶する。そして携帯装置では、有効な現在位置情報が取得された場合には、識別情報が示す標識装置に対応した既定位置情報を記憶手段から読み出し、これと現在位置情報を比較し、比較の結果が所定範囲を超えている場合には、点検エリア内で標識装置が設けられた位置が異常であると判定する。また、有効な現在位置情報が取得されなかった場合には、識別情報が示す標識装置に対応した基準歩数情報を記憶手段から読み出し、これと現在歩数情報を比較し、比較の結果が所定範囲を超えている場合には、点検エリア内で前記標識装置が設けられた位置が異常であると判定する。
【００２９】
請求項５に記載された巡回業務支援システム、請求項１１に記載された巡回業務支援方法、そして請求項１４に記載された巡回業務支援システム用プログラムによれば、巡回エリアに含まれる複数の点検エリアごとに設けられた標識装置と、巡回員に携帯されて前記標識装置によって認識される携帯装置とを備えた巡回業務支援システムにおいて、次のような効果を得ることができる。すなわち、巡回員は、携帯装置を持って巡回エリアに入り、各点検エリアを所定の順序で巡回して行く。ある点検エリアにおいて、当該点検エリアの標識装置に巡回員が携帯装置を近接させると、設置された標識装置が巡回員の携帯装置を読み取る。すなわち、携帯装置が位置情報取得手段で取得した現在位置情報と、歩数計数手段による計数によって取得した現在歩数情報が、標識装置に送信され、標識装置に読み込まれる。標識装置では、標識装置の識別情報と、標識装置の位置を示す既定位置情報と、基準歩数情報を記憶装置に予め記憶している。そして、標識装置では、携帯装置において有効な現在位置情報が取得されている場合には、標識装置の位置を示す既定位置情報と現在位置情報を比較し、比較の結果が所定範囲を超えている場合には、点検エリア内で標識装置が設けられた位置が異常であると判定する。また、携帯装置において有効な現在位置情報が取得されていない場合には、標識装置に対応する基準歩数情報と現在歩数情報を比較し、比較の結果が所定範囲を超えている場合には、点検エリア内で標識装置が設けられた位置が異常であると判定する。
【００３０】
請求項３又は請求項６に記載された巡回業務支援システムによれば、標識装置と携帯装置の一方又は他方が識別タグであり、他方又は一方が読取手段となっているので、標識装置と携帯装置のいずれが他方を読み取る関係にあっても、巡回業務の対象である巡回エリア内に設けられた複数の点検エリアの各々において、必要な情報を互いに近接した位置関係で確実に読み取って標識装置の位置確認に用いることができる。
【００３１】
請求項４又は請求項７に記載された巡回業務支援システムによれば、巡回業務において点検エリアで標識装置と携帯装置を近接させ、携帯装置又は標識装置に他方を認識させると、携帯装置では点検を行なおうとする点検エリアの点検項目が点検項目表示手段に表示される。巡回員が、これら表示された点検項目について点検情報入力手段から点検結果情報を設定すると、点検判定手段が点検結果情報に応じて点検エリアの点検終了を判定する。点検判定手段が点検終了と判定した場合にのみ、巡回員は点検が終了した点検エリアの次の点検エリアに進み、当該次の点検エリアにおいて携帯装置又は標識装置に他方を認識させることにより、当該次の点検エリアにおける標識装置の位置確認及び点検作業を行なうことができる。これによって、点検しない項目を残して次の巡回エリアに進んでしまうミスを防止することができる。
【００３２】
請求項８に記載された巡回業務支援システムによれば、巡回員に携帯された携帯装置が点検エリアの標識装置によって認識される巡回業務支援システムにおいて、標識装置に通信可能な管理装置を設け、位置情報の比較、位置判定、歩数情報の比較、歩数判定、そして点検判定のうち、少なくとも一部を管理装置側で行なうようにすることができるので、各巡エリアごとに位置判定手段や点検判定手段を設ける必要がなくなるので、製造コストを低減することができる。
【００３３】
このように、本発明によれば、携帯装置と標識装置が近接して通信を行なうことにより、有効な位置情報が取得できる場合には、携帯装置の現在の位置情報と標識装置の既定位置情報の比較を行い、また有効な位置情報が取得できない場合には、巡回員の現在の歩数情報と標識装置の基準歩数情報の比較を行い、これら情報の比較結果から、標識装置が既定位置にあるか否かをチェックして標識装置の位置異常を判定できる。この判定は、巡回員を管理する管理室に設置された管理装置においても行えるし、又は点検エリアに設置された標識装置において、さらに又巡回員が携帯している携帯装置においての行える。これによって、標識装置の位置、つまり点検を行った位置が既定どおりの位置であるか否か、すなわちいたずらや不正行為により標識装置が正規の位置から移動されたか否かを客観的に確認でき、正しく点検が行われたか否かを正しく判別し、巡回員による巡回業務が正規に行なわれたことを客観的に保証して、巡回業務の品質を客観的に証明することができる。
【図面の簡単な説明】
【００３４】
【図１】第１実施形態における建物内の巡回エリアと巡回ルートの一例を示す図である。
【図２】第１実施形態における建物外の巡回エリアと巡回ルートの一例を示す図である。
【図３】本発明の第１実施形態である巡回業務支援システムの構成を示すブロック図である。
【図４】第１実施形態における携帯装置における表示・入力手段と、その表示例を示す図である。
【図５】第１実施形態における携帯装置と管理装置における動作順序を示すシーケンス図である。
【図６】本発明の第２実施形態である巡回業務支援システムの構成を示すブロック図である。
【図７】本発明の第３実施形態である巡回業務支援システムの構成を示すブロック図である。
【発明を実施するための形態】
【００３５】
図１〜図５を参照して第１実施形態の巡回業務支援システム（以下、単にシステムとも称する。）、又は本システムを作動させるための巡回業務支援システム用プログラム、又は本システムを用いて行なう巡回業務支援方法（以下、これらを総称してシステム等とも称する。）について説明する。
【００３６】
まず本システムが対象とする巡回業務及び本システムの概要について図１及び図２を参照して説明する。
図１は、巡回業務の対象となる建物Ｔ内に設定された巡回エリアを示している。この巡回エリアは、図中一点鎖線で区分した各領域に記号Ａ〜Ｆを付して示したように、点検エリアと呼ばれる複数の区画に分けられている。各点検エリアＡ〜Ｆでは、図中記号ア〜チで示すように巡回員が点検すべき点検項目が定められている。図中破線の矢印で示すように、巡回員Ｐは、所定の順序で各点検エリアを巡回し、各点検エリアＡ〜Ｆ内では所定の順序で各点検項目ア〜チを点検していく。
【００３７】
図２は、巡回業務の対象となる建物Ｔの外（敷地内）に設定された巡回エリアを示している。詳細は図示しないが、この巡回エリアも複数の点検エリアに分けられており、各点検エリアごとに複数の点検項目が定められている。図中破線の矢印で示すように、巡回員Ｐは、所定の順序で各点検エリアを巡回し、各点検エリア内では所定の順序で各点検項目を点検していく。
【００３８】
図１に示した建物Ｔ内の巡回エリアの例では、点検エリアＡでは、点検項目アは窓、点検項目イは天井照明、点検項目ウは窓、点検項目エはコピー機である。点検エリアＢでは、点検項目オは窓、点検項目カは天井照明である。点検エリアＣでは、点検項目キは扉、点検項目クは金庫、点検項目ケは窓、点検項目コは天井照明、点検項目サは窓、点検項目シは天井照明である。点検エリアＤでは、点検項目スは窓である。点検エリアＥでは、点検項目セは扉、点検項目ソは天井照明、点検項目タは窓である。点検エリアＦでは、点検項目チは灰皿である。
【００３９】
なお、建物Ｔ内及び建物Ｔ外のいずれについても、巡回エリア内における点検エリアの区分や、各点検エリア内での点検項目は、セキュリティーの観点から外観上識別できるようにはなっているわけではない。
【００４０】
図１中には示していないが、図１に示す巡回エリアの各点検エリアＡ〜Ｆには、各点検エリアごとに、各点検エリアを示す識別標識である標識装置１がそれぞれ配置されている。一方、巡回員Ｐは携帯装置２を所持しており、巡回エリアＡ〜Ｆにおいて所定の順序で点検エリアを巡回する。巡回員Ｐは、各点検エリアＡ〜Ｆにおいて携帯装置２で標識装置１を読み込むことにより、各点検エリアＡ〜Ｆを識別し、この点検エリアＡ〜Ｆの点検項目を携帯装置２に表示させて点検を行う。また、図１には示していないが、巡回エリアＡ〜Ｆとは異なる離れた位置に巡回員Ｐの業務を管理する管理室があり、そこには管理装置３が設置されている。管理装置３は管理員によって運用されており、巡回業務中は適宜巡回員Ｐの携帯装置２と通信を行い、点検結果を保存し、各点検エリアＡ〜Ｆを示す標識装置１が正規の位置にあるかどうかを常に監視して巡回員Ｐによる巡回業務が正規に行なわれたことを客観的に保証する作業等を行なう。
【００４１】
次に、以上概要を説明した本システムの詳細について、本システムのブロック図である図３及び携帯装置２の表示入力手段の画面を示す図４を参照して説明する。
図３に示すように、巡回エリアを構成する各点検エリアＡ，Ｂ…には、それぞれ標識装置１が設けられている。標識装置１は、具体的にはＮＦＣタグのような識別タグによって構成されており、各点検エリアに設けられた標識装置１であることを示す識別情報がそれぞれ記憶されていて、後述する携帯装置２の読取装置によって近接的に読み取ることにより当該標識装置１がいずれの点検エリアに設けられたものであるかを知ることができるようになっている。標識装置１は、壁面に貼付けられたり壁紙の裏側等に埋め込まれて設置される等、外観上、少なくとも第３者からは視認しにくいような態様で設置されることがセキュリティー上は好ましい。なお、巡回員Ｐは標識装置１が設置されている位置を予め知っているものとする。なお、ここで標識装置１とは、必ずしもＮＦＣタグのように機械的又は電子的な内部構造を有するデバイスとの意味ではなく、要するに点検エリアの識別を行なう媒体となるものであればよく、より簡素な構成として、例えば各種バーコード類を用いることもできる。その場合、バーコードを光学的に読み取るためには、ＮＦＣタグとは異なり、当該バーコードは各点検エリアにおいて視認可能な状態で設置する必要がある。
【００４２】
図３に示すように、巡回員Ｐが所持する携帯装置２は、本装置全体の第１の制御手段として、マイクロコンピュータ等によって構成される制御手段５を備えており、以下に説明するような機能を備えた携帯装置用プログラムを制御手段５に読み込むことによって本システム用の携帯装置２とすることができる。かかる携帯装置２としては、ハード及びソフト共に専用に開発した装置を用意してもよいが、例えば必要な機能を備えたスマートフォンのような携帯端末に、必要な機能を備えた携帯装置用アプリケーションを搭載して利用することもできる。
【００４３】
図３に示すように、携帯装置２は、前述した標識装置１を読み取るため、制御手段５によって制御される読取手段６を備えている。読取手段６は、例えばＮＦＣタグとしての標識装置１と近接通信により情報を読み取るタグリーダとして構成される。また標識装置１がバーコードなどである場合には、読取手段６はカメラ等でバーコードを認識する撮像手段として構成される。巡回業務中、巡回員Ｐが携帯装置２を標識装置１に近接させれば、読取手段６は標識装置１の識別情報を読み取ることができる。
【００４４】
図３に示すように、携帯装置２は、当該携帯装置２の現在位置を示す現在位置情報を取得するため、制御手段５によって制御される位置情報所得手段７ａを備えている。位置情報所得手段７ａの原理は問わない。位置情報所得手段７ａは、例えばＧＰＳ、Ｗｉ−Ｆｉ、携帯電話基地局からの電波を利用して、携帯装置２の現在位置に関する現在位置情報を取得することができる。
【００４５】
図３に示すように、携帯装置２は、当該携帯装置２を携帯して巡回エリア内を進行する巡回員Ｐの歩数を計数する歩数計数手段７ｂを備えている。これは、位置情報所得手段７ａによる現在位置情報の取得がうまくいかない場合の代替手段として設けられたものである。すなわち、本実施形態では、巡回エリア内での巡回員による巡回業務が正しく行なわれたことを客観的に保証することを目的としており、その目的を達成すべく標識装置１が既定位置にあるか否かをチェックして標識装置の位置異常を判定するため、上述したように位置情報所得手段７ａを携帯装置２に設けて現在位置情報を取得し、標識装置１の既定位置情報と比較できるようにしている。しかし、既に説明したように、位置情報所得手段７ａは、具体的にはＧＰＳ、Ｗｉ−Ｆｉ、携帯電話基地局等からの電波を利用して、携帯装置２の現在位置情報を取得しているため、受信可能な電波発信源（衛星や基地局等）の数や、受信する電波の強度等の受信条件によっては、有効な現在位置情報を取得できない場合も考えられる。そのような場合においても前記目的を達成できるようにするために、位置情報に替えて歩数情報を補助的に用いることとしたものである。すなわち、携帯装置２を所持して巡回する巡回員Ｐの歩数をカウントして得られる現在歩数情報を常時使用できるように準備しておき、必要な場合には後述する基準歩数情報と比較して標識装置の位置異常を判定できるようにした。
【００４６】
本実施形態の歩数計数手段７ｂは、加速度センサを内蔵しており、これによって検出した巡回員Ｐの加速度の変化をソフトウエアによって処理し、その処理結果から加速度の増減の繰り返し数をカウントして巡回員Ｐの歩数を計数する装置であるが、もちろんこれは一例であり、歩数カウントの原理を限定するものではない。そして、制御手段５は、この歩数計数手段７ｂが計数した巡回員Ｐの歩数を時間的要素に基づいて適宜演算処理することにより、本システムにおいて制御に使用される歩数情報を得ている。例えば、歩数情報としては、点検エリアごとに把握される実際の歩数に係る歩数情報でもよいし、点検エリアごとに把握される実際の歩数を歩行に要した時間で除して得た単位時間当りの歩数に係る歩数情報でもよい。この場合、具体的には、各点検エリアの点検を開始してから終了するまでの点検に要した時間で点検エリア内の点検に要した歩数を除して１分当りの平均歩数を算出し、後に、基準歩数情報である「１２０歩／分」と比較して所定以上の差があれば巡回ペースの異常として判定するようにしてよい。また、巡回エリアの巡回を開始してから任意の点検エリアに至るまでに累積的にカウントされた実際の歩数に係る歩数情報でもよいし、巡回エリアの巡回を開始してから任意の点検エリアに至るまでに累積的にカウントされた実際の歩数を歩行に要した時間で除して得た単位時間当りの歩数に係る歩数情報であってもよい。この場合、具体的には、巡回エリアの点検を開始してから任意の時点までの時間で、そこまでの点検に要した歩数を除して１分当りの平均歩数を算出し、後に、基準歩数情報である「１２０歩／分」と比較して所定以上の差があれば標識装置１の位置異常として判定するようにしてよい。歩数情報としていずれを採用するも任意であるが、いずれにしても巡回員Ｐが巡回エリアを巡回して任意の点検エリアの標識装置１を携帯装置２で読み取った時、その読取時である認識時刻における歩数情報として現在歩数情報が取得される。
【００４７】
図３に示すように、携帯装置２は、制御手段５によって制御される記憶手段８を備えている。この記憶手段８には、巡回業務の開始に際して、各点検エリアで行なうべき点検項目等についてのデータを記憶する。携帯装置２は、予め管理装置３から巡回エリアの点検エリアと点検項目に関するデータをダウンロードしてもよく、また、移動体通信網を介して、標識装置１を読み取ったことを管理装置３に送信し、その都度当該点検エリアの点検項目のデータを管理装置３から受信するようにしてもよい。また、制御手段５は、巡回業務中、読取手段６が標識装置１を認識して取得した識別情報と、この標識装置１を認識した認識時刻と、その認識時刻において位置情報所得手段７ａが取得した現在位置情報と、歩数情報計数手段７ｂの計数によって取得された現在歩数情報を、互いに対応付けて記憶手段８に記憶させる。なお、時刻の認識は制御手段５内のクロックによって行なうことができる。
【００４８】
図３に示すように、携帯装置２は、制御手段５によって制御される通信手段９を備えている。通信手段９は、管理室に設置された管理装置３と、任意の手法によって通信し、必要な情報の伝達を行なうことができる。本システムでは、各点検エリアを示す標識装置１が正規の位置にあるかどうかを確認するため、制御手段５の制御により、記憶手段８に対応付けて記憶した識別情報と現在位置情報と現在歩数情報を管理装置３に送ることができる。なお、通信手段９の通信手法は問わない。電波によって直接的に通信してもよいし、各種電気通信回線１０を用いて通信してもよい。
【００４９】
図３に示すように、携帯装置２は、点検を行なおうとする点検エリアの点検項目を表示する点検項目表示手段かつ点検項目について点検結果情報を設定する点検情報入力手段として、表示・入力手段１１を備えている。点検結果情報（以下、単に点検情報とも称する）は、点検エリアの点検項目についての点検の状況として、例えば点検の有無や点検の状態に関する備考などが初期値としてあるいは巡回員Ｐの入力により設定された情報である。この表示・入力手段１１は、タッチスイッチ機能を有する表示装置であり、制御手段５によって制御される。巡回業務中、ある点検エリアで巡回員Ｐが携帯装置２を標識装置１にかざし、携帯装置２の読取装置６が標識装置１を認識すると、記憶手段８に予め記憶された点検項目のデータを制御手段５が読み出し、図４（ａ）に例示するように点検項目を点検画面１１ａに表示する。巡回員Ｐは、この表示を見て、漏れの無いように点検を行う。また、点検結果に問題があった場合等、必要に応じて図４（ｂ）に例示するコメント画面１１ｂを表示し、未点検の理由等の入力を行う。これによって巡回員Ｐの巡回業務をアシストする。
【００５０】
図４（ａ）に示すように、点検画面１１ａに表示される点検項目は、点検ポイント（左欄）と、その点検ポイントの点検内容（右欄）から構成されており、それぞれタッチスイッチで操作するチェック欄１２ａとコメントボタン１２ｂが設けられている。巡回員Ｐは、各項目ごとの点検ポイントで、各点検内容を確認する。例えば、点検ポイント「南東窓」については、「点検内容」施錠について点検する。チェック欄のチェックは問題なく点検を終えたことを示す。実際には、異常がないことの方が多いため、チェック欄１２ａには初期値として始めからチェックが入っており、順次点検する中で、特記事項を記録すべきものについては、チェック欄１２ａにタッチしてチェックを外し、次にコメントボタン１２ｂを押して図４（ｂ）に示すコメント画面１１ｂを表示させる。コメント画面１１ｂでは、チェック欄１２ｃへのチェック又は自由入力欄１２ｄへの記載によって、点検画面１１ａの対応する点検項目のチェック欄１２ａにチェックが入っていない理由を記録することができる。コメント画面１１ｂの記入後、確定ボタン１２ｅを押せば点検画面１１ａに戻る。点検画面１１ａにチェック又はコメントが記録された場合には、戻った点検画面１１ａの対応する点検項目のコメントボタン１２ｂはコメント記録前とは異なる色彩で表示されている。これによって、点検画面１１ａのチェック欄１２ａにはチェックが入っていないが、コメント画面１１ｂには記録があり、この点検項目の作業は終了していることが分かる。
【００５１】
図３に示すように、携帯装置２は、点検画面１１ａ等における点検情報の入力に応じて、点検エリアの点検が終了したか否かを判定する点検判定手段１３を備えている。点検判定手段１３は、図４（ａ）に示す表示・入力手段１１の点検画面１１ａで終了ボタン１２ｆが押されるか、又は巡回員Ｐが次の点検エリアに進んで当該点検エリアの標識装置１に携帯装置２をかざし、次の識別情報を読み出した時に、これらの操作がトリガーとなって終了判定を実行する。終了判定においては、表示・入力手段１１の点検画面１１ａにおいてすべてのチェック欄１２ａにチェックが入っているか、又はチェックがなくともコメント画面１１ｂにコメントの記入があれば、当該点検項目の点検が終了しているものと判定する。一方、点検画面１１ａのチェック欄１２ａにチェックが入っておらず且つコメントの記入もなければ点検に漏れがある（点検終了ではない）と判定され、その旨が表示・入力手段１１に表示される。点検判定手段１３が終了判定すると、巡回員Ｐが次の点検エリアに進んで次の識別情報を読み出していれば、この識別情報は認識時刻と共に正規に記憶手段８に読み込まれる。また、終了ボタン１２ｆを押したことによって終了判定した場合、巡回員Ｐは次の点検エリアに進み、次の識別情報を読み出して点検作業を行なうことができる。
【００５２】
なお、点検判定手段１３が終了判定すると、点検の結果は、図３に示す通信手段９によって、当該点検エリアの標識装置１の認識時に記憶していた識別情報、位置情報及び歩数情報と共に、管理室の管理装置３に送信されて保存、管理される。
【００５３】
図３に示す携帯装置２の制御手段５は、以上説明したように携帯装置２の各部を統括的に制御する手段であるが、さらに、位置情報取得手段７ａにより取得した現在位置情報が有効なものであるか否かを判断する位置情報判定手段としての機能を有しており、さらにその結果に基づき、標識装置１の設置位置の位置異常を判定するための情報として、有効な位置情報と歩数情報を管理装置３に送信するように通信手段９を制御する機能も有している。すなわち、この制御手段５は、位置情報取得手段７ａによって有効な現在位置情報が取得されたと判定した場合には、少なくとも対応付けられた識別情報と有効な現在位置情報を通信手段９及び電気通信回線１０を介して管理装置３に送信するが、受信可能な電波発信源の数や受信する電波の強度等の受信条件が好ましい状態になく、有効な現在位置情報が取得されなかったと判定した場合には、対応付けられた識別情報と現在歩数情報を管理装置３に送信するように制御を行なう。
【００５４】
図３に示す管理装置３は、巡回エリアＡ，Ｂ…から離れた場所に設置された管理室内に配置されている。管理装置３は、本装置全体の第２の制御手段として、マイクロコンピュータ等によって構成される制御手段１５を備えており、以下に説明するような機能を備えた管理装置用プログラムを制御手段１５に読み込むことによって本システム用の管理装置３とすることができる。かかる管理装置３としては、パソコンに必要な機能を備えた管理装置用アプリケーションを搭載して利用することもできる。
【００５５】
図３に示すように、管理装置３は、各標識装置１の位置を示す既定位置情報と、各標識装置１の基準歩数情報を予め記憶した記憶手段１６を備えている。図１に示した建物Ｔ内の巡回エリアの例では、点検エリアＡ〜Ｆの各々において、標識装置１を実際に設置した位置の位置情報を、既定位置情報として記憶手段１６に記憶しておく。
【００５６】
また、標識装置の基準歩数情報とは、巡回員Ｐが標準的な進行速度で巡回を行なった場合に、当該巡回員Ｐが当該点検エリアの標識装置に達するのに必要な歩数を示す情報を意味している。この標識装置に到達するまでの基準歩数情報と現在歩数情報を比較することで、標識装置の設置位置が変わってしまった可能性を判定することができる。ここで、この基準歩数情報は、前述した現在歩数情報と同様、点検エリアごとに把握される実際の歩数でもよいし、点検エリアごとの単位時間当りの歩数でもよいし、巡回エリアの巡回を開始してから任意の点検エリアに至るまでの累積的な歩数でもよいし、巡回開始から当該点検エリアまでの単位時間当りの歩数でもよい。また、各点検エリアに共通の歩数の基準値であってもよく、各点検エリアに共通の単位時間当りの歩数でもよい。もちろん、基準歩数情報と現在歩数情報は同じ内容のものを採用する必要がある。図１に示した建物Ｔ内の巡回エリアの例では、点検エリアＡ〜Ｆの各々において、実際に設置した標識装置１ごとに、基準歩数情報を記憶手段１６に記憶しておく。
【００５７】
図３に示すように、管理装置３は、制御手段１５によって制御される通信手段１７を備えている。通信手段１７は、巡回エリアを巡回する巡回員Ｐが携帯している携帯装置２と電気通信回線１０又は任意の手段によって通信し、必要な情報の伝達を行なうことができる。本システムでは、各点検エリアを示す標識装置１が正規の位置にあるかどうかを確認するため、制御手段１５の制御により、対応付けられた識別情報と現在位置情報及び現在歩数情報を携帯装置２から通信により取得することができる。また、点検結果のデータを携帯装置２から通信により取得して保存、管理し、必要に応じて印字手段で印字出力することもできる。
【００５８】
図３に示すように、管理装置３は、制御手段１５によって制御され、携帯装置２から取得した現在位置情報と、記憶手段１６の既定位置情報とを比較する位置情報比較手段１８ａを備えている。制御手段１５は、携帯装置２から取得した識別情報から当該標識装置１を特定し、特定した当該標識装置１の既定位置情報を記憶手段１６から読み出し、位置情報比較手段１８ａにおいて携帯装置２から取得した現在位置情報と読み出した既定位置情報を比較する。
【００５９】
図３に示すように、管理装置３は、制御手段１５によって制御される位置判定手段１９ａを備えている。位置判定手段１９ａは、位置情報比較手段１８ａによる比較の結果が所定範囲を超えている場合に、当該点検エリア内で当該標識装置１が設けられた位置が異常であると判定する。この判定結果は、管理装置３の図示しない表示装置に表示されて管理員の注意を喚起する。また、必要に応じ、通信手段１７、電気通信回線１０を介して携帯装置２に判定結果を送信し、携帯装置２の表示・入力手段１１に判定結果を表示して巡回員Ｐの注意を促す。
【００６０】
図３に示すように、管理装置３は、制御手段１５によって制御され、携帯装置２から取得した現在歩数情報と、記憶手段１６の基準歩数情報とを比較する歩数情報比較手段１８ｂを備えている。制御手段１５は、携帯装置２から取得した識別情報から当該標識装置１を特定し、特定した当該標識装置１の基準歩数情報を記憶手段１６から読み出し、歩数情報比較手段１８ｂにおいて携帯装置２から取得した現在歩数情報と読み出した基準歩数情報を比較する。
【００６１】
図３に示すように、管理装置３は、制御手段１５によって制御される歩数判定手段１９ｂを備えている。歩数判定手段１９ｂは、歩数情報比較手段１８ｂによる比較の結果が所定範囲を外れている場合、すなわち所定範囲を超えたり、下回っている場合には、標識装置１の位置が異常であると判定する。この判定結果は、管理装置３の図示しない表示装置に表示されて管理員の注意を喚起する。また、必要に応じ、通信手段１７、電気通信回線１０を介して携帯装置２に判定結果を送信し、携帯装置２の表示・入力手段１１に判定結果を表示して巡回員Ｐの注意を促す。
【００６２】
次に、本システムの動作例について、本システムの動作シーケンス例を示す図５を参照して説明する。
図５に示すように、携帯装置２側の巡回業務手順においては、まず巡回業務の開始にあたり、携帯装置２に全点検エリアの点検項目に関するデータを記憶させる（Ｓ１）。そのデータ記憶の手段は、管理室の管理装置３からのダウンロードでもよいし、その他の管理用サーバ等からのダウンロードでもよく、さらに点検項目に関するデータを記憶した記憶媒体を携帯装置２に接続して行なってもよい。
【００６３】
図５に示すように、携帯装置２を所持した巡回員Ｐが巡回エリアの巡回を開始する（Ｓ２）。巡回員Ｐは、最初の点検エリア（図１の例では点検エリアＡ）において携帯装置２を標識装置１にかざし、その識別情報を読み取る（Ｓ３）。これと同時に、携帯装置２は、読取時の現在歩数情報を歩数計数手段７ａによる計数に基づいて取得し（Ｓ４）、また読取時の現在位置情報を位置情報所得手段７ａで取得する（Ｓ５）。携帯装置２の制御手段５は、Ｓ５で取得した現在位置情報が有効であるか否かを判定する。有効と判定した場合には（Ｓ５、ＯＫ）、標識装置１の識別情報と、現在位置情報と、読み取り時の時刻である認識時刻を関連づけて記憶手段８に記憶する（Ｓ７）。ここで、携帯装置２の制御手段５が、Ｓ５で取得した現在位置情報が有効でないと判定した場合（Ｓ５、ＮＧ）には、標識装置１の位置異状を位置情報に基づいて判定することができないため、巡回員Ｐの歩数に基づいて標識装置１の位置異状を判断すべく、歩数情報による判定に移行する（Ｓ６）。この歩数情報による判定については、位置情報による判定について説明した後で説明する。なお、現在位置情報が有効でない、とは、取得した現在位置情報が所定の基準に照らして判定に使用できないと判断された場合と、現在位置情報が全く取得できなかった場合を含む。
【００６４】
また、携帯装置２が標識装置１を認識すると、携帯装置２の記憶手段８に記憶させておいた点検項目のデータが読み出され、図４（ａ）に例示するように点検項目が点検画面１１ａに表示される。巡回員Ｐは、この表示を見て、漏れの無いように点検を行い、必要に応じて図４（ｂ）に例示するコメント画面で必要なコメントなど点検情報を入力する（Ｓ８）。巡回員Ｐは、点検項目を暗記しておく必要がないので精神的負担が少なく、点検業務に集中することができる。点検項目について結果の入力が終了し、巡回員Ｐが終了ボタン１２ｆを押すと、携帯装置２の点検判定手段１３が終了判定を行い、点検終了と判定されれば（Ｓ９）、点検情報と、互いに関連付けられた識別情報、認識時刻及び現在位置情報が管理装置３に送信され、これら情報が管理装置３の記憶手段１６に格納、保存されたことが確認されると、携帯装置２側にあるこれらの情報は消去される（Ｓ１０）。
【００６５】
このように、携帯装置２で取得又は入力され、ここから管理装置３に送信されたこれらの情報を送信後に消去することとしたのは、これらの情報は秘匿性の高い重要情報であるにも関わらず、これらの重要情報を記憶している携帯装置２は巡回員Ｐが携帯している以上、紛失の可能性を０にすることが困難であるため、セキュリティー確保の観点からは管理装置３に送信した後、速やかに携帯装置２から消去することが最も適切であると考えられるからである。もちろん、巡回エリア全体の点検が終了した後に必要な情報を管理装置３に一括して送信し、その後に、各点検エリアの情報を一括して携帯装置２から消去しても情報管理の上で一定の安全性は担保できるため、本実施形態をそのように変形してもよい。しかし、本システムのように、各点検エリアでの点検終了の度に、管理装置３に対する情報の送信と携帯装置２における当該情報の消去を行なった方が、重要情報を携帯装置２で保持している時間がより短くなるので、情報の安全管理の上ではより望ましい。また、管理室においても、点検エリアの点検終了の度に情報を送信してもらった方が、点検情報の不備や標識装置１の位置異常の検知をより早く行なうことができ、より早期に必要な対応を巡回員Ｐに指示することができるので、巡回業務自体の品質も向上する。
【００６６】
図５に示すように、管理装置３側の巡回業務手順においては、携帯装置２から送信された点検情報と、当該点検エリアの識別情報、認識時刻及び現在位置情報を、記憶手段１６に格納、保存する（Ｓ１１）。管理装置３の制御手段１５は、携帯装置２から取得した識別情報により、送られた点検情報に係る点検エリアの標識装置１を特定し、特定した標識装置１の既定位置情報を記憶手段１６から読み出す（Ｓ１２）。そして、制御手段１５は、位置情報比較手段１８ａを制御することにより、現在位置情報と読み出した既定位置情報を比較し、位置判定手段１９ａで判定を行ない、異常があれば管理装置３の表示画面や携帯装置２の表示・入力手段１１で警報を発令する（Ｓ１３）。
【００６７】
図５に示すように、携帯装置２側の巡回業務手順においては、点検終了判定がなされていれば、次の点検エリアの点検作業を行なうために、巡回員Ｐは次の点検エリアに進んで標識装置１の識別情報を読み取り、識別情報を読み出すことができる（Ｓ１４）。すなわち、次の点検エリアの識別情報を正規に読み取り、この識別情報と、認識時刻と、現在位置情報と、現在歩数情報を正規に携帯装置２の記憶手段８に記憶させることができ、次の点検エリアの点検項目を呼び出して表示・入力手段１１に表示させることができる。しかしながら、次の点検エリアの標識装置１に携帯端末を近接させた場合、ステップＳ９において点検が終了しておらず、点検終了判定ができなければ（Ｓ９、Ｓ１０の処理を経ていない場合）、当該点検エリアの点検状況がＮＧであるものとして、次の点検エリアには進めない。その場合は、点検情報の入力を再度行なう必要がある（Ｓ８）。
【００６８】
点検終了と判定され（Ｓ９）、次の点検エリアに進んで標識装置１の識別情報を読み取った後における携帯装置２での手順は、手順Ｓ４〜Ｓ１０で説明した内容と同じである。全ての点検領域について巡回員Ｐによる点検が終了し（Ｓ１５）、管理装置３における処理が終了すると管理装置３においても点検終了となる（Ｓ１６）。その後、管理装置３では、必要に応じて点検情報を表示又は帳票としてプリントする等、必要な出力を行なって巡回業務が終了する（Ｓ１７）。
【００６９】
携帯装置２の制御手段５が、Ｓ５で取得した現在位置情報が有効でないと判定した場合には（Ｓ５、ＮＧ）、歩数情報による判定に移行する（Ｓ６）。なお、以下の説明では、主として位置情報による制御の流れを図示した図５において、「位置情報」を「歩数情報」と読み替えることにより、必要に応じて同図を参照するものとする。本実施形態の歩数情報は、一例として各点検エリアごとの実歩数とする。ここでは、この最初の点検エリアの識別装置に至るまでの歩数が現在歩数情報として取得され、後に基準歩数情報と比較されて標識装置の位置が変わっているかが判定される。また、この最初の点検エリアの点検開始時における現在歩数情報（Ｓ４）はイニシャル値となり、次の点検エリアの標識装置（ステップＳ１４で読み取る標識装置）の位置を判定する場合には、この次の点検エリアの標識装置を読み取ったときに取得される歩数情報と当該イニシャル値との差分によって当該点検エリアの点検に伴う歩数が現在歩数情報として取得されることとなる。なお、標識装置１の識別情報と、現在歩数情報と、読み取り時の時刻である認識時刻は関連づけて記憶手段１６に記憶される（Ｓ７）。点検情報の入力（Ｓ８）と、その後の点検終了の判定（Ｓ９）は位置情報による制御の場合と同様であり、情報が管理装置３の記憶手段１６に格納、保存されたことが確認されれば、携帯装置２側にあるこれらの情報が消去されることも同様である（Ｓ１０）。
【００７０】
管理装置３側の巡回業務手順においては、携帯装置２から送信された点検情報と、当該点検エリアの識別情報、認識時刻及び現在歩数情報を、記憶手段１６に格納、保存する（Ｓ１１）。管理装置３の制御手段１５は、携帯装置２から取得した識別情報により、送られた点検情報に係る点検エリアの標識装置１を特定し、特定した標識装置１の基準歩数情報を記憶手段１６から読み出す（Ｓ１２）。そして、制御手段１５は、歩数情報比較手段１８ｂを制御することにより、現在歩数情報と読み出した基準歩数情報を比較し、歩数判定手段１９ｂで判定を行ない、異常があれば管理装置３の表示画面や携帯装置２の表示・入力手段１１で警報を発令する（Ｓ１３）。以降の制御は位置情報による制御の場合と同様であるので説明を省略する。
【００７１】
以上説明したように、本システムでは、巡回エリアの各点検エリアに設けた標識装置１（識別タグ）が移動される可能性があるため、巡回員Ｐが携帯する携帯装置２で識別タグを読むことにより、管理装置３において当該識別タグの位置証明を行うようにした。すなわち、スマートフォン等の携帯装置２で識別タグを読んだときに、携帯装置２の現在位置情報と識別タグの識別情報（ＩＤ情報）を記録し、識別タグが当初設置された既定位置にあるか否かを巡回員Ｐの携帯装置２だけでなく、管理室の管理装置３でもチェックできるようにした。
【００７２】
このため、本システムによれば、識別タグの位置（つまり点検を行った位置）が既定どおりであることを、巡回員Ｐだけでなく、管理装置３においても確認でき、いたずらや不正行為により識別タグが正規の位置から移動されていた場合であっても、これを検出して各点検エリアにおいて正しく点検が行われたか否かを巡回員Ｐを管理する側から間違いなく判別できる。これによって、巡回員Ｐによる巡回業務が正しく行なわれたことを客観的に保証し、以て巡回業務の品質を客観的に証明することができるという効果が得られる。
【００７３】
さらに、本システムでは、ＧＰＳ等を利用する位置情報取得手段７ａが電波環境等の諸条件によって有効な現在位置情報を取得できない場合も想定している。すなわち本システムによれば、巡回員Ｐの歩数を歩数計数手段７ｂで常時カウントしており、そのカウント結果に基づいて現在歩数情報を取得しているため、ＧＰＳ等に基づく位置情報が使えない場合であっても、この現在歩数情報に基づいて標識装置１の位置異常を判定することができる。従って、標識装置１の位置異常を検出できなくなる可能性を可及的に減少させることができ、巡回業務の品質の客観的な証明がさらに一層確実になる。
【００７４】
なお、本システムでは、巡回員Ｐが持つ携帯装置２から管理装置３が情報を取得し、管理室側で識別タグの位置異常を判定していたが、後に説明する第２実施形態のように、巡回員Ｐが持つ携帯装置２の側で識別タグの位置異常を判定するようにしてもよい。また、本システムでは、標識装置１としての識別タグを点検エリアの壁等に設け、巡回員Ｐが所持する携帯装置２（スマートフォン等）で、これを読み取ることとしたが、さらに後に説明する第３実施形態のように、標識装置１として壁に設置される方をタグリーダを備えたコンピュータとし、巡回員Ｐが持つ携帯装置２の側に識別タグを設け、各点検エリアのコンピュータが携帯装置２の識別タグを認識し、点検情報の管理や各点検エリアのコンピュータの位置異常の判定は当該コンピュータ又は当該コンピュータに接続された管理装置３側で行なうようにしてもよい。
【００７５】
次に、図６のブロック図を参照して第２実施形態の巡回業務支援システム等について説明する。
なお、以下の説明では、第１実施形態と異なる特徴部分を説明するとともに、第１実施形態と共通となる部分については必要に応じて説明を適宜省略し、その説明を省略した部分については、前記特徴部分と矛盾しない範囲において第１実施形態における図示及び説明を援用するものとする。
【００７６】
図６に示すように、本システムが対象とする巡回エリア及び点検エリアＡ，Ｂ…の構成、そして各点検エリアＡ，Ｂ…にそれぞれ設けられた標識装置１は第１実施形態と同じである。
【００７７】
図６に示すように、本システムの携帯装置２ａは、マイクロコンピュータ等によって構成される制御手段５ａを備えており、以下に説明するような機能を備えた携帯装置用プログラムを制御手段５ａに読み込むことによって本システム用の携帯装置２ａとすることができる。第１実施形態と同様、かかる携帯装置２ａとしては専用装置でもよいが、スマートフォン等の携帯端末に携帯装置用アプリケーションを搭載して利用することもできる。    
【００７８】
図６に示すように、携帯装置２ａは、前述した標識装置１を読み取るため、制御手段５ａによって制御される読取手段６を備えている。巡回業務中、巡回員Ｐが携帯装置２ａを標識装置１に近接させれば、読取手段６は標識装置１の識別情報を読み取ることができる。
【００７９】
図６に示すように、携帯装置２ａは、当該携帯装置２ａの現在位置を示す現在位置情報を取得するため、制御手段５ａによって制御される位置情報取得手段７ａを備えている。位置情報取得手段７ａは、例えばＧＰＳやＷｉ−Ｆｉ等の電波を利用して携帯装置２ａの現在位置情報を取得することができる。
【００８０】
図６に示すように、携帯装置２ａは、当該携帯装置２を携帯して巡回エリア内を進行する巡回員Ｐの歩数を計数する歩数計数手段７ｂを備えている。歩数計数手段７ｂの構成及び機能は第１実施形態と同様である。
【００８１】
図６に示すように、携帯装置２ａは、制御手段５ａによって制御される記憶手段８ａを備えている。この記憶手段８ａには、巡回業務の開始に際して、各点検エリアで各標識装置１が設けられた位置を示す既定位置情報及び基準位置情報を記憶するとともに、各点検エリアで行なうべき点検項目等についてのデータを記憶する。携帯装置２ａは、図示しない管理装置３から予めこれらのデータをダウンロードしてもよい。また、制御手段５ａは、巡回業務中、読取手段６が前記標識装置１を認識して取得した識別情報と、この標識装置１を認識した認識時刻を、互いに対応付けて記憶手段８ａに記憶させる。なお、時刻の認識は制御手段５ａ内のクロックによって行なうことができる。
【００８２】
図６に示すように、携帯装置２ａは、制御手段５ａによって制御される通信手段９を備えている。通信手段９は、図示しない管理室に設置された管理装置と必要な場合に通信し、必要な情報の伝達を行なうことができる。
【００８３】
図６に示すように、携帯装置２ａは、点検を行なおうとする点検エリアの点検項目を表示する点検項目表示手段かつ点検項目について点検情報を入力する点検情報入力手段として、表示・入力手段１１を備えている。この表示・入力手段１１は、タッチスイッチ機能を有する表示装置であり、制御手段５ａによって制御される。この表示・入力手段１１の機能及び使用方法等は、図４を参照して説明した第１実施形態と略同様である。
【００８４】
図６に示すように、携帯装置２ａは、表示・入力手段１１の点検画面１１ａ等における点検情報の入力に応じて、点検エリアの点検が終了したか否かを判定する点検判定手段１３を備えている。この点検判定手段１３の機能及び使用方法等は、図４を参照して説明した第１実施形態と略同様である。
【００８５】
図６に示すように、携帯装置２ａは、制御手段５ａによって制御され、位置情報取得手段７ａで取得した現在位置情報と、記憶手段８ａの既定位置情報とを比較する位置情報比較手段１８ａを備えている。携帯装置２ａの制御手段５ａは、点検エリアにおいて読取手段６に標識装置１を読み取らせ、これによって取得した標識装置１の識別情報から当該標識装置１を特定し、特定した当該標識装置１の既定位置情報を記憶手段８ａから読み出す。そして、標識装置１を読み取った時点で位置情報取得手段７ａで現在位置情報を取得しておき、位置情報比較手段１８ａにおいて前記現在位置情報と前記既定位置情報を比較する。
【００８６】
図６に示すように、携帯装置２ａは、制御手段５ａによって制御される位置判定手段１９ａを備えている。位置判定手段１９ａは、位置情報比較手段１８ａによる比較の結果が所定範囲を超えている場合に、当該点検エリア内で当該標識装置１が設けられた位置が異常であると判定する。この判定結果は、携帯装置２ａの表示・入力手段１１に表示されて巡回員Ｐの注意を喚起する。また、必要に応じ、通信手段９を介して図示しない管理室の管理装置に判定結果を送信し、管理装置の表示手段に判定結果を表示して管理員の注意を促すようにしてもよい。
【００８７】
図６に示すように、携帯装置２ａは、制御手段５ａによって制御され、歩数計数手段７ｂの計数に基づいて取得された現在歩数情報と、記憶手段８ａの基準歩数情報とを比較する歩数情報比較手段１８ｂを備えている。携帯装置２ａの制御手段５ａは、点検エリアにおいて読取手段６に標識装置１を読み取らせ、これによって取得した標識装置１の識別情報から当該標識装置１を特定し、特定した当該標識装置１の基準歩数情報を記憶手段８ａから読み出す。そして、標識装置１を読み取った時点で歩数計数手段７ｂの計数に基づいて点検エリアの点検開始時点の現在歩数情報を取得する。この現在歩数情報は、例えば直前の点検エリアの標識装置１を認識したときの歩数との差分から当該標識装置に至るまでの歩数として求められる。そして、歩数情報比較手段１８ｂにおいて前記現在歩数情報と前記基準歩数情報を比較する。
【００８８】
図６に示すように、携帯装置２ａは、制御手段５ａによって制御される歩数判定手段１９ｂを備えている。歩数判定手段１９ｂは、歩数情報比較手段１８ｂによる比較の結果が所定の許容範囲を外れている場合に、当該点検エリア内における標識装置１の位置が異常であると判定する。この判定結果は、携帯装置２ａの表示・入力手段１１に表示されて巡回員Ｐの注意を喚起する。また、必要に応じ、通信手段９を介して図示しない管理室の管理装置に判定結果を送信し、管理装置の表示手段に判定結果を表示して管理員の注意を促すようにしてもよい。
【００８９】
次に、本システムの動作例について説明する。
巡回業務の開始にあたり、携帯装置２ａの記憶手段８ａに、各点検エリアにおいて各標識装置１が設置された位置を示す既定位置情報と、全点検エリアの点検項目に関するデータを記憶させる。データは、外部記憶手段との接続や、管理室の管理装置との通信等によって携帯装置２ａに供給することができる。
【００９０】
この携帯装置２ａを所持した巡回員Ｐが巡回エリアの巡回を開始する。巡回員Ｐは、最初の点検エリアにおいて携帯装置２ａを標識装置１にかざし、その識別情報を読み取る。識別情報と認識時刻は関連付けて記憶手段８ａに記憶される。これと同時に、読み取り時の現在位置情報を位置情報取得手段７ａで取得し、また現在歩数情報を歩数計数手段７ｂのカウントに基づいて取得する。
【００９１】
携帯装置２ａの制御手段５ａは、取得した現在位置情報が有効であるか否かを判定する。有効と判定した場合には、識別情報と認識時刻に関連づけて現在位置情報及び現在歩数情報を記憶手段８ａに記憶する。携帯装置２ａの制御手段５ａが、取得した現在位置情報が有効でないと判定した場合には、後に説明するように歩数情報による判定を行なう。
【００９２】
携帯装置２ａの制御手段５ａは、記憶手段８ａに記憶した識別情報により、標識装置１を特定し、特定した標識装置１の既定位置情報を記憶手段８ａから読み出す。そして、制御手段５ａは、位置情報比較手段１８ａを制御することにより、識別情報と関連して記憶手段８ａに記憶した現在位置情報又はその時点で位置情報取得手段７ａで取得した現在位置情報と、読み出した既定位置情報を比較し、その結果を位置判定手段１９ａで判定し、異常があれば携帯装置２ａの表示・入力手段１１の画面で警報を発令する。必要に応じて通信手段９で図示しない管理室に通報しても良い。
【００９３】
携帯装置２ａが標識装置１を認識し、データ処理の結果、標識装置１の位置に異常が認められない場合は、携帯装置２ａの記憶手段８ａに記憶させておいた点検項目のデータが読み出され、点検項目が点検画面１１ａに表示される。巡回員Ｐは、この表示を見て、漏れの無いように点検を行い、必要に応じてコメント画面で必要なコメントを入力する。巡回員Ｐは、点検項目を暗記しておく必要がないので精神的負担が少なく、点検業務に集中することができる。点検項目について結果の入力が終了し、巡回員Ｐが終了ボタン１２ｆを押すと、携帯装置２ａの点検判定手段１３が終了判定を行い、点検終了と判定されれば、点検情報と、当該点検エリアにおいて互いに関連付けられた識別情報及び認識時刻は記憶手段８ａの所定位置に格納、保存される。
【００９４】
前の点検エリアの点検が終了していれば、巡回員Ｐは次の点検エリアに進んで標識装置１の識別タグを読み取り、識別情報を読み出し、次の点検エリアの点検作業を行なうことができる。すなわち、次の点検エリアの識別情報を正規に読み取り、この識別情報と、認識時刻と、現在歩数情報及び現在位置情報を正規に携帯装置２ａの記憶手段８ａに記憶させることができ、次の点検エリアの点検項目を呼び出して表示・入力手段１１に表示させることができる。携帯装置２ａの制御手段５ａは記憶した識別情報に対応する既定位置情報と現在位置情報を比較して、この標識装置１の位置が正しいかどうか判定を行なう。しかしながら、点検が終了しておらず、点検終了判定ができなければ、当該点検エリアの点検状況がＮＧであるものとして、次の点検エリアには進めない。その場合は、点検情報の入力を再度行なう必要がある。
【００９５】
点検終了と判定された後の携帯装置２ａにおける以後の手順は、以上説明した内容と同じである。全ての点検領域について巡回員Ｐによる点検が終了すると、巡回員Ｐは管理室に戻って携帯装置２ａの記憶手段８ａに記憶してあるデータを管理装置に移し、自らのデータは消去する。これを以て巡回員Ｐの巡回業務は終了する。なお、携帯装置２ａから管理装置へのデータの移動は通信回線を介して遠隔的に行なってもよい。管理装置においては、点検データ等の必要なデータについて帳票等の形態で必要な出力を行い、巡回業務の管理業務が終了する。
【００９６】
携帯装置２ａの制御手段５ａが、点検エリアで標識装置１の識別情報を読み取った際に取得した現在位置情報が有効でない旨判定した場合には、歩数情報による判定に移行する。携帯装置２ａの制御手段５ａは、記憶手段８ａに記憶した識別情報により、先に取得していた標識装置１（現在の点検エリア）を特定し、特定した標識装置１の基準歩数情報を記憶手段８ａから読み出す。そして、制御手段５ａは、歩数情報比較手段１８ｂを制御することにより、その標識装置に至るまでの歩数となる標識装置読み取り時の現在歩数情報と、読み出した基準歩数情報を比較し、その結果を歩数判定手段１９ｂで判定し、異常があれば携帯装置２ａの表示・入力手段１１の画面で警報を発令する。必要に応じて通信手段９で図示しない管理室に通報しても良い。
【００９７】
本システムによれば、巡回エリアの各点検エリアに識別タグ等の構成の簡単な標識装置１を設け、巡回員Ｐはスマートフォン等で構成できる携帯装置２ａを所持して点検エリアを巡回するだけで、各点検エリアにおいて正しく点検が行われたか否かを現場で確実に判別でき、アシストを受けて点検作業も確実に行なうことができる。
【００９８】
以上説明したように、本システムでは、巡回エリアの各点検エリアに設けられた標識装置１（識別タグ）を、巡回員Ｐが携帯する携帯装置２ａで読むことにより、当該携帯装置２ａにおいて当該識別タグの位置証明を行うようにした。すなわち、スマートフォン等の携帯装置２ａは元々携帯装置２ａの既定位置情報及び基準歩数情報を有しているため、識別タグを読んだときに、携帯装置２ａの現在位置情報と既定位置情報を携帯装置２ａにおいてその場で直ちに比較でき、また電波受信環境等の問題で現在位置情報が有効に取得できない場合であっても、携帯装置２ａの現在歩数情報と基準歩数情報を携帯装置２ａにおいてその場で直ちに比較することができる。これによって、識別タグが当初設置された既定位置にあるか否かを、電波受信環境等に係わりなく、巡回中の巡回員Ｐがその場で直ちに確認することができる。そして、いたずらや不正行為により識別タグが正規の位置から移動されていれば、各点検エリアにおいて巡回員Ｐはその場でその事実を知ることができるので、直ちに適正な対応をとることができる。
【００９９】
次に、図７のブロック図を参照して第３実施形態の巡回業務支援システム等について説明する。
なお、以下の説明では、第１実施形態及び第２実施形態と異なる特徴部分を説明するとともに、これら各実施形態と共通となる部分については必要に応じて説明を適宜省略し、その説明を省略した部分については、前記特徴部分と矛盾しない範囲において第１実施形態及び第２実施形態における図示及び説明を援用するものとする。
【０１００】
図７に示すように、本システムが対象とする巡回エリア及び点検エリアＡ，Ｂ…の構成は第１実施形態と同じである。しかしながら、各点検エリアＡ，Ｂにそれぞれ設けられた標識装置２１は、第１及び第２実施形態における識別タグとは異なり、むしろ第１及び第２実施形態における携帯装置２，２ａの構成に近く、巡回員Ｐが携帯する携帯装置２２を読み取る機能を備えたコンピュータで構成されている。本実施形態における標識装置２１は、例えば通行者のＩＤ情報を読み取って扉の施解錠を行なう出入管理装置のカードリーダなどであってもよい。また逆に、巡回員Ｐが携帯する携帯装置２２は、第１及び第２実施形態における携帯装置２，２ａとは異なり、点検エリアの標識装置２１によって読み取られる識別タグ３０をスマートフォンに設けた構成となっている。
【０１０１】
図７に示すように、本システムの携帯装置２２は、マイクロコンピュータ等によって構成される制御手段２３を備えており、以下に説明するような機能を備えた携帯装置用プログラムを制御手段２３に読み込むことによって本システム用の携帯装置２２とすることができる。かかる携帯装置２２としては、ハード及びソフト共に専用に開発した装置を用意してもよいが、例えば必要な機能を備えたスマートフォンのような携帯端末に、必要な機能を備えた携帯装置用アプリケーションを搭載して利用することもできる。
【０１０２】
図７に示すように、携帯装置２２は、当該携帯装置２２の現在位置を示す現在位置情報を取得するため、制御手段２３によって制御される位置情報取得手段７ａを備えている。位置情報取得手段７ａは、例えばＧＰＳやＷｉ−Ｆｉ等の電波を利用して携帯装置２２の現在位置情報を取得することができる。
【０１０３】
図７に示すように、携帯装置２２は、当該携帯装置２２を携帯して巡回エリア内を進行する巡回員Ｐの歩数を計数する歩数計数手段７ｂを備えている。歩数計数手段７ｂの構成及び機能は第１及び第２実施形態と同様であるが、特に本実施形態の歩数計数手段７ｂは、標識装置２１によって近接位置にあることが検出されて該当する点検エリアの点検を開始してから、次の標識装置２１を認識して先の点検エリアの点検終了を判定するまでの歩数を、現在歩数情報として計数する機能を有している。
【０１０４】
図７に示すように、携帯装置２２は識別タグ３０を備えている。携帯装置２２を後述する標識装置２１に接近させた場合、標識装置２１の読取手段６によって近接位置にあることが検出されるようになっている。識別タグ３０は第１及び第２実施形態における標識装置１のようにＮＦＣタグで構成されてよく、読取手段６は識別タグ３０を認識可能なタグリーダであってよい。
【０１０５】
図７に示すように、携帯装置２２は、各点検エリアで行なうべき点検項目等についてのデータを記憶する記憶手段２４を備えている。記憶手段２４に記憶する点検項目のデータは、巡回業務の開始に際し、予め図示しない管理装置からダウンロードしてもよいし、外部の記憶媒体に接続して取得してもよい。
【０１０６】
図７に示すように、携帯装置２２は、点検を行なおうとする点検エリアの点検項目を表示する点検項目表示手段かつ前記点検項目について点検情報を入力する点検情報入力手段として、表示・入力手段１１を備えている。この表示・入力手段１１は、タッチスイッチ機能を有する表示装置であり、制御手段２３によって制御される。この表示・入力手段１１の機能及び使用方法等は第１実施形態と略同様である。
【０１０７】
図７に示すように、本システムの標識装置２１は、マイクロコンピュータ等によって構成される制御手段２５を備えており、以下に説明するような機能を備えた標識装置用プログラムを制御手段２５に読み込むことによって本システム用の標識装置２１とすることができる。
【０１０８】
図７に示すように、標識装置２１は、前記携帯装置２２の識別タグ３０を読み取るため、制御手段２５によって制御される読取手段６を備えている。巡回業務中、巡回員Ｐが携帯装置２２を標識装置２１に近接させれば、読取手段６は携帯装置２２を読み取り、この読み取り信号をトリガーとして、携帯装置２２が当該標識装置２１へアクセスしたことを検出することができる。
【０１０９】
図７に示すように、標識装置２１は、制御手段２５によって制御される記憶手段２６を備えている。この記憶手段２６には、巡回業務の開始に際して、又は本システムの設置時点において、各点検エリアごとに異なる標識装置２１の識別情報と、当該標識装置２１が設けられた位置を示す既定位置情報及び基準歩数情報が記憶される。また制御手段２５は、読取手段６が前記携帯装置２２を認識した場合、携帯装置２２から当該認識時点における有効な現在位置情報及び現在歩数情報を取得し、認識時刻と対応付けて記憶手段２６に記憶させる。なお、時刻の認識は制御手段２５内のクロックによって行なうことができる。
【０１１０】
図７に示すように、標識装置２１は、制御手段２５によって制御され、前記携帯装置２２から取得して記憶手段２６に記憶させた現在位置情報と、記憶手段２６の既定位置情報とを比較する位置情報比較手段１８ａを備えている。
【０１１１】
図７に示すように、標識装置２１は、制御手段２５によって制御される位置判定手段１９ａを備えている。位置判定手段１９ａは、位置情報比較手段１８ａによる比較の結果が所定範囲を超えている場合に、当該点検エリア内で当該標識装置２１が設けられた位置が異常であると判定する。この判定結果は、後述する表示・入力手段１１にエラーメッセージとして表示するとともに、近接通信によって前記携帯装置２２に送られ、その表示・入力装置１１に表示されて巡回員Ｐの注意を喚起する。また、必要に応じ、図示しない通信手段を介して図示しない管理室の管理装置に送信して管理員の注意を促すようにしてもよい。
【０１１２】
図７に示すように、標識装置２１は、制御手段２５によって制御され、前記携帯装置２２から取得して記憶手段２６に記憶させた現在歩数情報と、記憶手段２６の基準歩数情報とを比較する歩数情報比較手段１８ｂを備えている。
【０１１３】
図７に示すように、標識装置２１は、制御手段２５によって制御される歩数判定手段１９ｂを備えている。歩数判定手段１９ｂは、歩数情報比較手段１８ｂによる比較の結果が所定の許容範囲を外れている場合に、当該点検エリア内で当該標識装置２１が設けられた位置が異常であると判定する。この判定結果は、後述する表示・入力手段１１にエラーメッセージとして表示するとともに、近接通信によって前記携帯装置２２に送られ、その表示・入力装置１１に表示されて巡回員Ｐの注意を喚起する。また、必要に応じ、図示しない通信手段を介して図示しない管理室の管理装置に送信して管理員の注意を促すようにしてもよい。
【０１１４】
図７に示すように、標識装置２１は、携帯装置２２の表示・入力手段１１と同様の表示・入力手段１１を備えている。この表示・入力手段１１は、タッチスイッチ機能を有する表示装置であり、制御手段２５によって制御される。この表示・入力手段１１によって、記憶手段２６に記憶させるデータの入力を行なうことができる他、前述したように、点検の結果や標識位置に異常があった場合等にエラーメッセージを表示することができる。
【０１１５】
図７に示すように、標識装置２１は、前記携帯装置２２における点検情報の入力に応じて、点検エリアの点検が終了したか否かを判定する点検判定手段１３を備えている。この点検判定手段１３の機能及び使用方法等は第１実施形態と略同様である。
【０１１６】
なお、図７には示していないが、各点検エリアに設けられた各標識装置２１は、制御手段２５によって制御される通信手段をそれぞれ備えており、各通信手段は、適宜の電気通信回線を介して遠隔地にある図示しない管理室に設置された管理装置に接続されている。従って、各点検エリアに設けられた複数の標識装置２１からは、点検データや標識装置２１の位置異常に関する情報が管理室の管理装置に送られ、管理装置では巡回エリア全体のデータを一元的に管理できるようになっている。
【０１１７】
次に、本システムの動作例について説明する。
巡回業務の開始にあたり、携帯装置２２の記憶手段２４に、全点検エリアの点検項目に関するデータを記憶させる。データは、外部記憶手段と接続して供給できるが、図示しない通信手段を用いた管理室の管理装置との通信等によって携帯装置２２に供給することもできる。
【０１１８】
この携帯装置２２を所持した巡回員Ｐが巡回エリアの巡回を開始する。巡回員Ｐは、最初の点検エリアにおいて携帯装置２２を標識装置２１にかざす。標識装置２１の読取手段６が、携帯装置２２の識別タグ３０を読み取り、これをトリガーとして携帯装置２２の位置情報取得手段７ａが現在位置情報の取得を開始する。制御手段２３は、取得した現在位置情報が有効であるか否かを判定し、有効と判定した場合には、この現在位置情報を標識装置２１に送信する。すなわち標識装置２１は、有効な現在位置情報を読取手段６の近接通信によって携帯装置２２から読み取り、取得する。標識装置２１では、取得した有効な現在位置情報を認識時刻及び識別情報に関連づけて記憶手段２６に記憶させるとともに、この現在位置情報と記憶手段２６の既定位置情報とを位置情報比較手段１８ａで比較する。その結果を位置判定手段１９ａで判定し、異常があれば標識装置２１及び携帯装置２２の各表示・入力手段１１の画面で警報を発令する。また、図示しない通信手段で図示しない管理室に通報する。携帯装置２２の制御手段２３が、取得した現在位置情報が有効でないと判定した場合には、後に説明するように歩数情報による判定を行なう。
【０１１９】
標識装置２１が携帯装置２２を認識し、データ処理の結果、標識装置２１の位置に異常が認められない場合は、携帯装置２２の記憶手段２４に記憶させておいた点検項目のデータが読み出され、点検項目が携帯装置２２の表示・入力手段１１の点検画面１１ａに表示される。巡回員Ｐは、この表示を見て、漏れの無いように点検を行い、必要に応じてコメント画面で必要なコメントを入力する。巡回員Ｐは、点検項目を暗記しておく必要がないので精神的負担が少なく、点検業務に集中することができる。点検項目について結果の入力が終了していれば、次の点検エリアの標識装置２１を認識したときに、記憶手段２４に記憶されていた点検情報が近接通信により標識装置２１に送信され、標識装置２１において点検判定手段１３で終了判定が行なわれる。点検終了と判定されれば、点検情報は記憶手段２６の所定位置に格納、保存される。また、これらの情報は、図示しない通信手段で図示しない管理室に送信する。この時点で、携帯装置２２の記憶手段２４にある点検情報及び当該点検エリアに関する点検項目のデータは情報管理上の理由で消去するものとする。
【０１２０】
このように前の点検エリアの点検が終了していれば、巡回員Ｐは次の点検エリアに進んで標識装置２１に識別タグ３０を読み取らせ、次の点検エリアの点検作業を行なうことができる。すなわち、次の点検エリアの標識装置２１が点検終了を判定して識別タグ３０を正規に読み取れば、その認識時刻と現在位置情報を正規に標識装置２１の記憶手段２６に記憶させることができ、標識装置２１は自己の位置に異常がないか判定を行なう。その結果、携帯装置２２においては、次の点検エリアの点検項目を呼び出して表示・入力手段１１に表示させて点検作業を行なうことができる。しかしながら、点検が終了しておらず、点検終了判定ができなければ、当該点検エリアの点検状況がＮＧであるものとして、次の点検エリアの標識装置２１は点検終了を判定せず、点検情報の入力を促すエラーメッセージを表示・入力手段１１に表示する。その場合は、標識装置２１は認識時刻や現在位置情報の記憶を行なわず、巡回員Ｐは点検情報の入力を再度行なう必要がある。
【０１２１】
点検終了と判定された後の携帯装置２２及び標識装置２１における以後の手順は、以上説明した内容と同じである。全ての点検エリアについて巡回員Ｐによる点検が終了すれば、巡回員Ｐの巡回業務は終了する。各携帯装置２２から携帯装置２１へのデータの送信及び携帯装置２１から管理装置へのデータの送信は、各点検エリアでの点検が終了する度に行なわれているので、最後の点検エリアの点検が終了した時点で管理装置には必要なデータが全て集約されている。管理装置においては、この集約された点検データや各標識装置２１の位置異常のデータ等、必要なデータについて帳票等の形態で必要な出力を行う。
【０１２２】
点検エリアで、標識装置２１が携帯装置２２の識別タグ３０を読み取った際に、携帯装置２２で取得された現在位置情報は有効でないと携帯装置２２の制御手段２３が判定した場合には、歩数情報による判定に移行する。歩数情報による判定では、直前の標識装置を認識したときから今回の標識装置を認識するまでの歩数が現在歩数情報として標識装置に送信される。巡回エリアの最初の標識装置２１による認識時にはまだ点検は行なわれていないので歩数の比較は行なわれないようにしてもよく、また、この最初の標識装置に至るまでの歩数を現在歩数情報として送信してもよい。
【０１２３】
この場合、標識装置２１が携帯装置２２を認識すると、携帯装置２２の記憶手段２４に記憶させておいた点検項目のデータが読み出され、点検項目が携帯装置２２の表示・入力手段１１の点検画面１１ａに表示される。巡回員Ｐは、この表示を見て、漏れの無いように点検を行い、必要に応じてコメント画面で必要なコメントを入力する。巡回員Ｐは、点検項目を暗記しておく必要がないので精神的負担が少なく、点検業務に集中することができる。点検項目について結果の入力が終了していれば、次の点検エリアの標識装置２１を認識したときに、現在位置情報が取得され、この現在位置情報が有効でないと判定された場合、記憶手段２４に記憶されていた点検情報と当該点検エリア内での現在歩数情報が近接通信により標識装置２１に送信される。そして、標識装置２１において点検判定手段１３で終了判定が行なわれる。点検終了と判定されれば、点検情報は記憶手段２６の所定位置に格納、保存される。また、これらの情報は、図示しない通信手段で図示しない管理室に送信する。この時点で、携帯装置２２の記憶手段２４にある点検情報及び当該点検エリアに関する点検項目のデータは情報管理上の理由で消去するものとする。
【０１２４】
また点検終了と判定されると、標識装置２１では、取得した現在歩数情報を認識時刻及び識別情報に関連づけて記憶手段２６に記憶させるとともに、この現在歩数情報と記憶手段２６の基準歩数情報とを歩数情報比較手段１８ｂで比較する。その結果を歩数判定手段１９ｂで判定し、異常があれば標識装置２１及び携帯装置２２の各表示・入力手段１１の画面で警報を発令する。また、図示しない通信手段で図示しない管理室に通報する。
【０１２５】
このように前の点検エリアの点検が終了していれば、巡回員Ｐは次の点検エリアに進んで標識装置２１に識別タグ３０を読み取らせ、次の点検エリアの点検作業を行なうことができる。すなわち、次の点検エリアの標識装置２１が点検終了を判定して識別タグ３０を正規に読み取れば、位置情報が有効に取得できるか判定され、位置情報の精度が得られない場合には、その認識時刻と現在歩数情報を正規に標識装置２１の記憶手段２６に記憶させることができ、標識装置２１は、その設置位置に異常がないか判定を行なう。その結果、携帯装置２２においては、次の点検エリアの点検項目を呼び出して表示・入力手段１１に表示させて点検作業を行なうことができる。しかしながら、点検が終了しておらず、点検終了判定ができなければ、当該点検エリアの点検状況がＮＧであるものとして、次の点検エリアの標識装置２１は点検終了を判定せず、点検情報の入力を促すエラーメッセージを表示・入力手段１１に表示する。その場合は、標識装置２１は認識時刻や現在歩数情報の記憶を行なわず、巡回員Ｐは点検情報の入力を再度行なう必要がある。
【０１２６】
点検終了と判定された後の携帯装置２２及び標識装置２１における以後の手順は、以上説明した内容と同じである。全ての点検エリアについて巡回員Ｐによる点検が終了すれば、巡回員Ｐの巡回業務は終了する。各携帯装置２２から標識装置２１を介した管理装置へのデータの送信は、各点検エリアでの点検が終了する度に行なわれているので、最後の点検エリアの点検が終了した時点で管理装置には必要なデータが全て集約されている。管理装置においては、この集約された点検データや各標識装置２１の位置異常のデータ等、必要なデータについて帳票等の形態で必要な出力を行う。
【０１２７】
本システムによれば、巡回エリアの各点検エリアに読取装置付きのコンピュータといった構成の標識装置２１を設け、巡回員Ｐはスマートフォンに識別タグ３０を設けた携帯装置２２を所持して点検エリアを巡回するだけで、各点検エリアにおいて正しく点検が行われたか否かを現場及び管理室で確実に判別でき、アシストを受けた巡回員Ｐも点検作業を小さな負担で確実に行なうことができる。
【０１２８】
以上説明したように、本システムでは、巡回エリアの各点検エリアに設けられた標識装置２１で、巡回員Ｐが携帯する携帯装置２２の識別タグ３０を認識することにより、当該標識装置２１において当該標識装置２１の位置証明を行うようにした。すなわち、巡回員Ｐが所持するスマートフォン等の識別タグ３０を標識装置２１が認識したときに、携帯装置２２が有する有効な現在位置情報と、標識装置２１が有する既定位置情報とを、標識装置２１においてその場で直ちに比較でき、また電波受信環境等の問題で現在位置情報が有効に取得できない場合であっても、携帯装置２２の現在歩数情報と、標識装置２１が有する基準歩数情報を標識装置２１においてその場で直ちに比較することができる。これによって、標識装置２１が当初設置された既定位置にあるか否かを巡回中の巡回員Ｐがその場で直ちにかつ電波受信環境等に係わりなく確認することができる。そして、いたずらや不正行為により標識装置２１が正規の位置から移動されていれば、各点検エリアにおいて巡回員Ｐはその場でその事実を知ることができるので、直ちに適正な対応をとることができる。
【０１２９】
以上説明した第３実施形態では、位置情報比較手段１８ａ、位置判定手段１９ａ、歩数情報比較手段１８ｂ、歩数判定手段１９ｂ、そして点検判定手段１３が各標識装置２１ごとに設けられていたが、これらは各標識装置２１について共有の構成として管理室の管理装置３のみに設けることとしてもよい。
【符号の説明】
【０１３０】
Ｐ…巡回員
Ａ〜Ｆ…点検エリア
ア〜チ…点検項目
(1) 第１実施形態（図３）及び請求項１
１…標識装置（識別タグ）
２…携帯装置
３…管理装置
５…携帯装置の制御手段
６…携帯装置の読取手段
７ａ…携帯装置の位置情報取得手段
７ｂ…携帯装置の歩数計数手段
８…携帯装置の記憶手段
１５…管理装置の制御手段
１６…管理装置の記憶手段
１８ａ…管理装置の位置情報比較手段
１８ｂ…管理装置の歩数情報比較手段
１９ａ…管理装置の位置判定手段
１９ｂ…管理装置の歩数判定手段
(2) 第２実施形態（図６）及び請求項２
１…標識装置（識別タグ）
２ａ…携帯装置
５ａ…携帯装置の制御手段
６…携帯装置の読取手段
７ａ…携帯装置の位置情報取得手段
７ｂ…携帯装置の歩数計数手段
８ａ…携帯装置の記憶手段
１８ａ…携帯装置の位置情報比較手段
１８ｂ…携帯装置の歩数情報比較手段
１９ａ…携帯装置の位置判定手段
１９ｂ…携帯装置の歩数判定手段
(3) 第３実施形態（図７）及び請求項５
６…標識装置の読取手段
７ａ…携帯装置の位置情報取得手段
７ｂ…携帯装置の歩数計数手段
１８ａ…標識装置の位置情報比較手段
１８ｂ…標識装置の歩数情報比較手段
１９ａ…標識装置の位置判定手段
１９ｂ…標識装置の歩数判定手段
２１…標識装置
２２…携帯装置
２３…携帯装置の制御手段
２４…携帯装置の記憶手段
２５…標識装置の制御手段
２６…標識装置の記憶手段
３０…携帯装置の識別タグ
【図１】
2015031975.tif 000003
【図２】
2015031975.tif 000004
【図３】
2015031975.tif 000005
【図４】
2015031975.tif 000006
【図５】
2015031975.tif 000007
【図６】
2015031975.tif 000008
【図７】
2015031975.tif 000009